(57)【要約】  本発明の実施形態は、モバイル通信の分野に関し、広告ストレージ方法および広告挿入方法、デバイス、ならびにシステムを提供する。広告挿入システムは、広告提供デバイスと、広告ポリシー及び課金制御機能と、広告ストレージと、広告挿入デバイスと、端末とを備え、これらのコンポーネントは、無線ネットワークまたは有線ネットワークを介して接続される。本発明では、広告を自動的に受信し、記憶し、挿入するプロセスを、広告ポリシー及び課金制御機能と、広告ストレージと、広告挿入デバイスと、端末とを備える広告挿入システムによって、サービスプロバイダによる如何なる手動介入も必要とせずに実現することができる。広告記憶プロセスおよび管理サーバで広告を設定するプロセスが多くの手作業リソースおよび時間リソースを使用することによって完遂されている従来技術と比較して、手作業リソースおよび時間リソースを省くだけでなく、広告挿入効率を著しく改善することができる。
2015531117.tif 000002
【特許請求の範囲】
【請求項１】
広告ストレージ方法であって、
広告コンテンツについての情報であり広告提供デバイスによって送信された識別情報を受信するステップと、
前記広告コンテンツについての情報であり前記広告提供デバイスによって送信された説明情報を受信するステップであって、前記広告コンテンツの前記説明情報は、少なくとも前記広告コンテンツのサイズ情報を含む、ステップと、
前記広告コンテンツの前記説明情報がプリセット条件を満たしている場合には、広告ストレージが、前記広告コンテンツの前記識別情報と前記サイズ情報とに従って対応する記憶領域を前記広告コンテンツに割り当てることができるように、および前記広告ストレージが、前記広告コンテンツの前記識別情報に従って前記広告提供デバイスからの前記広告コンテンツを要求して前記広告コンテンツを前記記憶領域に記憶することができるように、前記広告コンテンツの前記識別情報と前記サイズ情報とを有する領域割り当て指示を前記広告ストレージに送信するステップ、または、前記広告コンテンツの前記説明情報がプリセット条件を満たしている場合には、前記記憶領域の識別情報に従って前記広告提供デバイスによって前記記憶領域にプッシュされた前記広告コンテンツを受信して、前記広告コンテンツを記憶するために、前記広告ストレージが、前記広告コンテンツの前記識別情報と前記サイズ情報とに従って対応する記憶領域を前記広告コンテンツに割り当て、前記記憶領域の前記識別情報を生成して、前記記憶領域の前記識別情報を前記広告提供デバイスに送信することができるように、前記広告コンテンツの前記識別情報と前記サイズ情報とを有する領域割り当て指示を前記広告ストレージに送信するステップとを含む、方法。
【請求項２】
前記広告コンテンツの前記説明情報がプリセット条件を満たしていることは、
前記広告コンテンツの前記サイズ情報にある値がプリセット閾値未満であることを含む、請求項1に記載の方法。
【請求項３】
前記広告コンテンツの前記説明情報は、前記広告コンテンツのタイプ情報と、解像度情報と、符号化情報と、言語タイプと、配置要件情報とのうちの1つまたは複数の項目をさらに含み、
前記広告コンテンツの前記説明情報がプリセット条件を満たしていることは、
前記広告コンテンツの前記タイプ情報にあるタイプがプリセットタイプを満たしていることであって、前記プリセットタイプは、テキストと、画像と、オーディオと、ビデオとのうちの一種類または複数種類を含む、ことと、
前記広告コンテンツの前記解像度情報にある解像度がプリセット解像度以下であることと、
前記広告コンテンツの前記符号化情報にある符号化規則がプリセット符号化規則を満たしていることと、
前記広告コンテンツの前記言語情報にある言語がプリセット言語を満たしていることと、
前記広告コンテンツの前記配置要件情報にある配置要件がプリセット配置要件を満たしていることとのうちの1つまたは複数の状況を含む、請求項1または2に記載の方法。
【請求項４】
前記広告コンテンツについての情報であり広告提供デバイスによって送信された識別情報を受信するステップの後に、および前記広告コンテンツについての情報であり前記広告提供デバイスによって送信された説明情報を受信するステップの前に、前記方法は、
前記広告コンテンツの前記説明情報を送信するように前記広告提供デバイスをトリガするために、前記広告コンテンツの前記識別情報に従って説明情報取得要求を前記広告提供デバイスに送信するステップをさらに含む、請求項1から3のいずれか一項に記載の方法。
【請求項５】
前記広告コンテンツの前記識別情報と前記サイズ情報とを有する領域割り当て指示を前記広告ストレージに送信するステップの後に、前記方法は、
前記広告ストレージによってフィードバックされた前記記憶領域の識別情報を受信するステップと、
前記記憶領域の前記識別情報を記憶して、前記記憶領域の前記識別情報を前記対応する広告コンテンツの前記識別情報と前記説明情報とに関連付けるステップと、
または、前記広告提供デバイスが、前記記憶領域の前記識別情報に従って前記広告コンテンツを前記記憶領域にプッシュすることができるように、前記記憶領域の前記識別情報を記憶して、前記記憶領域の前記識別情報を前記対応する広告コンテンツの前記識別情報と前記説明情報とに関連付けて、前記記憶領域の前記識別情報を前記広告提供デバイスに転送するステップとをさらに含む、請求項1から3のいずれか一項に記載の方法。
【請求項６】
前記広告コンテンツの前記説明情報が前記広告コンテンツの前記配置要件情報を含む場合には、
前記記憶領域の前記識別情報を記憶して、前記記憶領域の前記識別情報を前記対応する広告コンテンツの前記識別情報と前記説明情報とに関連付けるステップの後に、前記方法は、
広告挿入デバイスまたは端末に、前記広告コンテンツの前記配置要件情報と前記広告コンテンツに対応する前記記憶領域の前記識別情報とを送信するステップをさらに含む、請求項5に記載の方法。
【請求項７】
前記端末に、前記広告コンテンツの前記配置要件情報と前記広告コンテンツに対応する前記記憶領域の前記識別情報とを送信するステップの前に、前記方法は、
プリセットショート情報を受信した後に前記端末がインターネット接続を確立することができるように、前記プリセットショート情報を前記端末に送信するステップと、
前記端末による前記インターネット接続を用いて送信された情報取得要求を受信するステップであって、前記情報取得要求は、前記広告コンテンツの前記配置要件情報および/または前記広告コンテンツに対応する前記記憶領域の前記識別情報を要求するために使用される、ステップとをさらに含む、請求項6に記載の方法。
【請求項８】
広告ストレージ方法であって、
広告コンテンツの識別情報とサイズ情報とを有する領域割り当て指示を受信するステップと、
前記広告コンテンツの前記識別情報と前記サイズ情報とに従って対応する記憶領域を前記広告コンテンツに割り当てるステップと、
前記広告コンテンツの前記識別情報に従って広告提供デバイスからの前記広告コンテンツを要求して、前記広告コンテンツを受信して、前記広告コンテンツを前記記憶領域に記憶するステップ、または、広告提供デバイスが、前記記憶領域の識別情報に従って前記広告コンテンツを前記記憶領域にプッシュすることができるように、前記記憶領域の前記識別情報を生成して、前記記憶領域の前記識別情報を前記広告提供デバイスに提供するステップと、前記広告コンテンツを受信して記憶するステップとを含む、方法。
【請求項９】
前記広告コンテンツの前記識別情報に従って広告提供デバイスからの前記広告コンテンツを要求して、前記広告コンテンツを前記記憶領域に記憶するステップの後に、前記方法は、
広告ポリシー及び課金制御機能が、前記記憶領域の識別情報を記憶して、前記記憶領域の前記識別情報を前記対応する広告コンテンツの前記識別情報と前記説明情報とに関連付けることができるように、前記記憶領域の前記識別情報を生成して、前記記憶領域の前記識別情報を前記広告ポリシー及び課金制御機能に送信するステップを含む、請求項8に記載の方法。
【請求項１０】
前記記憶領域の前記識別情報を生成して、前記記憶領域の前記識別情報を前記広告提供デバイスに提供するステップは、
前記広告提供デバイスが、前記記憶領域の識別情報に従って前記広告コンテンツを前記記憶領域にプッシュすることができるように、広告ポリシー及び課金制御機能が、前記記憶領域の前記識別情報を記憶して、前記記憶領域の前記識別情報を前記対応する広告コンテンツの前記識別情報と前記説明情報とに関連付けて、前記記憶領域の前記識別情報を前記広告提供デバイスに転送することができるように、前記記憶領域の前記識別情報を生成して、前記記憶領域の前記識別情報を前記広告ポリシー及び課金制御機能に送信するステップを含む、請求項8に記載の方法。
【請求項１１】
前記方法は、
広告挿入デバイスまたは端末によって送信された前記記憶領域の前記識別情報を受信するステップと、
前記記憶領域に記憶された前記広告コンテンツを前記広告挿入デバイスまたは前記端末に送信するステップとをさらに含む、請求項9または10に記載の方法。
【請求項１２】
広告挿入方法であって、
広告ポリシー及び課金制御機能によって送信された広告コンテンツの配置要件情報と前記広告コンテンツに対応する記憶領域の識別情報とを受信するステップであって、前記配置要件情報は、マッチングキーワードと、配置エリアと、配置対象情報と、配置時間セグメントと、マッチングトリガイベントとのうちの1つまたは複数の項目を含む、ステップと、
ユーザにフィードバックされるデータの属性情報が、前記配置要件情報にある前記マッチングキーワードと、前記配置エリアと、前記配置対象情報と、前記配置時間セグメントとのうちの1つまたは複数の項目を満たしている場合には、前記広告コンテンツを前記データに挿入するステップであって、前記広告コンテンツは、前記記憶領域の前記識別情報に従って広告ストレージから予めまたはリアルタイムに要求された広告コンテンツを含む、ステップと、
端末によって収集されたトリガイベントが前記配置要件情報にある前記マッチングトリガイベントと同一である場合には、前記広告コンテンツを前記端末のスクリーンに再生するステップとを含む、広告挿入方法。
【請求項１３】
前記属性情報は、データ取得時間と、キーワードと、送信元と、宛先と、ユーザのパーソナル情報とのうちの1つまたは複数の項目を含み、
ユーザにフィードバックされるデータの前記属性情報が、前記配置要件情報にある前記マッチングキーワードと、前記配置エリアと、前記配置対象情報と、前記配置時間セグメントとのうちの1つまたは複数の項目を満たしていることは、
前記属性情報にある前記データ取得時間が前記配置要件情報にある前記配置時間セグメントを満たしていることと、
前記属性情報にある前記キーワードが前記配置要件情報にある前記マッチングキーワードを満たしていることと、
前記属性情報にある前記送信元と前記宛先とのうちの1つまたは双方が前記配置要件情報にある前記配置エリアを満たしていることと、
前記属性情報にある前記ユーザの前記パーソナル情報が前記配置要件情報にある前記配置対象情報を満たしていることとのうちの1つまたは複数の状況を含む、請求項12に記載の方法。
【請求項１４】
前記ユーザにフィードバックされるデータの属性情報が、前記配置要件情報にある前記マッチングキーワードと、前記配置エリアと、前記配置対象情報と、前記配置時間セグメントとのうちの1つまたは複数の項目を満たしている場合には、前記広告コンテンツを前記データに挿入するステップの前に、方法は、
前記ユーザにフィードバックされるデータを取得するステップであって、前記データは、テキストと、写真と、オーディオと、ビデオとのうちの少なくとも一種類を含む、ステップと、
前記データの属性情報を取得するために、前記データにディープ・パケット・インスペクションを実行するステップとをさらに含む、請求項12または13に記載の方法。
【請求項１５】
前記マッチングトリガイベントは、ボタンの押下と、タッチスクリーンの押下と、音声信号の受信と、アプリケーションの起動と、端末のアクセスロック解除の失敗とのうちの少なくとも一種類を含む、請求項12から14のいずれか一項に記載の方法。
【請求項１６】
前記端末によって収集されたトリガイベントが前記配置要件情報にある前記マッチングトリガイベントと同一である場合には、前記広告コンテンツを前記端末のスクリーンに再生するステップの前に、方法は、
ユーザ操作によって生成されたトリガイベントを収集するステップをさらに含み、
前記広告コンテンツを前記端末のスクリーンに再生するステップは、
元の表示コンテンツ上にオーバーラップまたは覆うようにして前記広告コンテンツを前記端末の前記スクリーンの全エリアまたは一部エリアに再生するステップを対応するものとして含む、請求項12から15のいずれか一項に記載の方法。
【請求項１７】
前記広告ポリシー及び課金制御機能によって送信された広告コンテンツの配置要件情報と前記広告コンテンツに対応する記憶領域の識別情報とを受信するステップの前に、前記方法は、
前記広告ポリシー及び課金制御機能によって送信されたプリセットショート情報を受信するステップと、
インターネット接続に従って、前記広告コンテンツの前記配置要件情報、前記広告コンテンツに対応する前記記憶領域の前記識別情報、および/または前記広告コンテンツを取得するために、前記プリセットショート情報に従って前記インターネット接続を確立するステップとをさらに含む、請求項12から16のいずれか一項に記載の方法。
【請求項１８】
広告ポリシー及び課金制御機能であって、
広告コンテンツについての情報であり広告提供デバイスによって送信された識別情報を受信するように構成される、広告識別受信モジュールと、
前記広告コンテンツについての情報であり前記広告提供デバイスによって送信された説明情報を受信するように構成される、説明情報受信モジュールであって、前記広告コンテンツの前記説明情報は、少なくとも前記広告コンテンツのサイズ情報を含む、説明情報受信モジュールと、
前記説明情報受信モジュールによって受信された前記説明情報がプリセット条件を満たしていると決定するように構成される、プリセット条件決定モジュールと、
前記説明情報が前記プリセット条件を満たしていると前記プリセット条件決定モジュールが決定すると、広告ストレージが、前記広告コンテンツの前記識別情報と前記サイズ情報とに従って対応する記憶領域を前記広告コンテンツに割り当てることができるように、および前記広告ストレージが、前記広告コンテンツの前記識別情報に従って前記広告提供デバイスからの前記広告コンテンツを要求して前記広告コンテンツを前記記憶領域に記憶することができるように、前記広告ストレージに、前記広告コンテンツについての情報であり前記広告識別受信モジュールによって受信された前記識別情報と、前記広告コンテンツについての情報であり前記説明情報受信モジュールによって受信された前記サイズ情報とを有する領域割り当て指示を送信するように構成される、または、前記説明情報が前記プリセット条件を満たしていると前記プリセット条件決定モジュールが決定すると、前記記憶領域の識別情報に従って前記広告提供デバイスによって前記記憶領域にプッシュされた前記広告コンテンツを受信して、前記広告コンテンツを記憶するために、広告ストレージが、前記広告コンテンツの前記識別情報と前記サイズ情報とに従って対応する記憶領域を前記広告コンテンツに割り当て、前記記憶領域の前記識別情報を生成して、前記記憶領域の前記識別情報を前記広告提供デバイスに送信することができるように、前記広告ストレージに、前記広告コンテンツについての情報であり前記広告識別受信モジュールによって受信された前記識別情報と、前記広告コンテンツについての情報であり前記説明情報受信モジュールによって受信された前記サイズ情報とを有する領域割り当て指示を送信するように構成される、割り当て指示送信モジュールとを備える、広告ポリシー及び課金制御機能。
【請求項１９】
前記プリセット条件決定モジュールは、前記広告コンテンツについての情報であり前記説明情報受信モジュールによって受信された前記サイズ情報にある値がプリセット閾値未満であると決定するように特に構成され、
前記割り当て指示送信モジュールは、前記広告コンテンツの前記サイズ情報にある前記値が前記プリセット閾値未満であると前記プリセット条件決定モジュールが決定すると、前記広告ストレージに、前記広告コンテンツについての情報であり前記広告識別受信モジュールによって受信された前記識別情報と、前記広告コンテンツについての情報であり前記説明情報受信モジュールによって受信された前記サイズ情報とを有する前記領域割り当て指示を送信するように特に構成される、請求項18に記載の広告ポリシー及び課金制御機能。
【請求項２０】
前記説明情報受信モジュールは、前記広告コンテンツのタイプ情報と、解像度情報と、符号化情報と、言語タイプと、配置要件情報とのうちの1つまたは複数の項目を受信するようにさらに構成され、
前記広告コンテンツの前記説明情報が前記プリセット条件を満たしていると前記プリセット条件決定モジュールが決定することは、
前記広告コンテンツの前記タイプ情報にあるタイプがプリセットタイプを満たしていると決定することであって、前記プリセットタイプは、テキストと、画像と、オーディオと、ビデオとのうちの一種類または複数種類を含む、ことと、
前記広告コンテンツの前記解像度情報にある解像度がプリセット解像度以下であると決定することと、
前記広告コンテンツの前記符号化情報にある符号化規則がプリセット符号化規則を満たしていると決定することと、
前記広告コンテンツの前記言語情報にある言語がプリセット言語を満たしていると決定することと、
前記広告コンテンツの前記配置要件情報にある配置要件がプリセット配置要件を満たしていると決定することとのうちの1つまたは複数の状況を特に含む、請求項18または19に記載の広告ポリシー及び課金制御機能。
【請求項２１】
前記広告ポリシー及び課金制御機能は、
前記広告コンテンツの前記説明情報を送信するように前記広告提供デバイスをトリガするために、前記広告コンテンツについての情報であり前記広告識別受信モジュールによって受信された前記識別情報に従って、説明情報取得要求を前記広告提供デバイスに送信するように構成される、取得要求送信モジュールをさらに備える、請求項18から20のいずれか一項に記載の広告ポリシー及び課金制御機能。
【請求項２２】
前記広告ポリシー及び課金制御機能は、
領域識別受信モジュールと、領域識別記憶モジュールとをさらに備え、または領域識別受信モジュールと、領域識別記憶モジュールと、領域識別転送モジュールとをさらに備え、
前記領域識別受信モジュールは、前記広告ストレージによってフィードバックされた前記記憶領域の識別情報を受信するように構成され、
前記領域識別記憶モジュールは、前記領域識別受信モジュールによって受信された前記記憶領域の前記識別情報を記憶して、前記領域識別受信モジュールによって受信された前記記憶領域の前記識別情報を、前記対応する広告コンテンツについての情報であり前記広告識別受信モジュールによって受信された前記識別情報と、前記対応する広告コンテンツについての情報であり前記説明情報受信モジュールによって受信された前記説明情報とに関連付けるように構成され、
前記領域識別転送モジュールは、前記広告提供デバイスが、前記記憶領域の前記識別情報に従って前記広告コンテンツを前記記憶領域にプッシュすることができるように、前記領域識別受信モジュールによって受信された前記記憶領域の前記識別情報を広告提供デバイスに転送するように構成される、請求項18または21に記載の広告ポリシー及び課金制御機能。
【請求項２３】
前記広告コンテンツの前記説明情報が前記広告コンテンツの前記配置要件情報を含む場合には、広告ポリシー及び課金制御機能は、
広告挿入デバイスまたは端末に、前記広告コンテンツについての情報であり前記説明情報受信モジュールによって受信された前記配置要件情報と、前記広告コンテンツに対応する前記記憶領域についての情報であり前記領域識別受信モジュールによって受信された前記識別情報とを送信するように構成される、広告情報送信モジュールをさらに備える、請求項22に記載の広告ポリシー及び課金制御機能。
【請求項２４】
前記広告ポリシー及び課金制御機能は、
プリセットショート情報を受信した後に前記端末がインターネット接続を確立することができるように、前記プリセットショート情報を前記端末に送信するように構成される、プリセットショート情報送信モジュールと、
前記プリセットショート情報送信モジュールが前記プリセットショート情報を送信した後に、前記端末による前記インターネット接続を用いて送信された情報取得要求を受信するように構成される、情報要求受信モジュールであって、前記情報取得要求は、前記広告コンテンツの前記配置要件情報および/または前記広告コンテンツに対応する前記記憶領域の前記識別情報を要求するために使用される、情報要求受信モジュールとをさらに備える、請求項23に記載の広告ポリシー及び課金制御機能。
【請求項２５】
割り当て指示受信モジュールと、記憶領域割り当てモジュールと、能動的広告取得モジュールと受動的広告取得モジュールとのうちの1つとを備える、広告ストレージであって、
前記割り当て指示受信モジュールは、広告コンテンツの識別情報とサイズ情報とを有する領域割り当て指示を受信するように構成され、前記領域割り当て指示は、前記広告コンテンツの説明情報に含まれる情報がプリセット条件を満たしているときには、広告ポリシー及び課金制御機能によって送信され、前記広告コンテンツの前記説明情報は、少なくとも前記広告コンテンツの前記サイズ情報を含み、
前記記憶領域割り当てモジュールは、前記広告コンテンツについての情報であり前記割り当て指示受信モジュールによって受信された前記識別情報と前記サイズ情報とに従って、対応する記憶領域を前記広告コンテンツに割り当てるように構成され、
前記能動的広告取得モジュールは、前記広告コンテンツについての情報であり前記割り当て指示受信モジュールによって受信された前記識別情報に従って、前記広告提供デバイスからの前記広告コンテンツを要求して、前記広告コンテンツを受信して前記広告コンテンツを前記記憶領域割り当てモジュールによって割り当てられた前記記憶領域に記憶するように構成され、
前記受動的広告取得モジュールは、前記広告提供デバイスが、前記記憶領域の識別情報に従って前記広告コンテンツを前記記憶領域にプッシュすることができるように、前記記憶領域割り当てモジュールによって割り当てられた前記記憶領域の前記識別情報を生成して、前記記憶領域の前記識別情報を前記広告提供デバイスに提供するように構成され、広告コンテンツを受信して記憶するように構成される、広告ストレージ。
【請求項２６】
前記広告ストレージは、
前記広告ポリシー及び課金制御機能が、前記記憶領域の識別情報を記憶して、前記記憶領域の前記識別情報を前記対応する広告コンテンツの前記識別情報と前記説明情報とに関連付けることができるように、前記記憶領域割り当てモジュールによって割り当てられた前記記憶領域の前記識別情報を生成して、前記記憶領域の前記識別情報を前記広告ポリシー及び課金制御機能に送信するように構成される、領域識別送信モジュールをさらに備える、請求項25に記載の広告ストレージ。
【請求項２７】
前記受動的広告取得モジュールは、
前記広告提供デバイスが、前記記憶領域の識別情報に従って前記広告コンテンツを前記記憶領域にプッシュすることができるように、前記広告ポリシー及び課金制御機能が、前記記憶領域の前記識別情報を記憶して、前記記憶領域の前記識別情報を前記対応する広告コンテンツの前記識別情報と前記説明情報とに関連付けて、前記記憶領域の前記識別情報を前記広告提供デバイスに転送することができるように、前記記憶領域割り当てモジュールによって割り当てられた前記記憶領域の前記識別情報を生成して、前記記憶領域の前記識別情報を前記広告ポリシー及び課金制御機能に送信するように構成される、領域識別送信ユニットを備える、請求項25に記載の広告ストレージ。
【請求項２８】
前記広告ストレージは、
広告挿入デバイスまたは端末によって送信された前記記憶領域の前記識別情報を受信するように構成される、識別情報受信モジュールと、
前記広告挿入デバイスまたは前記端末に、前記識別情報受信モジュールによって受信された前記識別情報に対応する前記記憶領域に記憶された前記広告コンテンツを送信するように構成される、広告コンテンツ送信モジュールとをさらに備える、請求項25から27のいずれか一項に記載の広告ストレージ。
【請求項２９】
それを介して端末がインターネットにアクセスするネットワーク要素デバイスで使用される、広告挿入デバイスであって、
広告ポリシー及び課金制御機能によって送信された広告コンテンツの配置要件情報と前記広告コンテンツに対応する記憶領域の識別情報とを受信するように構成される、配置要件受信モジュールであって、前記配置要件情報は、マッチングキーワードと、配置エリアと、配置対象情報と、配置時間セグメントとのうちの1つまたは複数の項目を含む、配置要件受信モジュールと、
ユーザにフィードバックされるデータの属性情報が、前記配置要件受信モジュールによって受信された前記配置要件情報にある前記マッチングキーワードと、前記配置エリアと、前記配置対象情報と、前記配置時間セグメントとのうちの1つまたは複数の項目を満たしていると決定するように構成される、属性情報決定モジュールと、
前記ユーザにフィードバックされる前記データの前記属性情報が、前記配置要件受信モジュールによって受信された前記配置要件情報にある前記マッチングキーワードと、前記配置エリアと、前記配置対象情報と、前記配置時間セグメントとのうちの1つまたは複数の項目を満たしていると前記属性情報決定モジュールが決定した後に、前記広告コンテンツを前記データに挿入するように構成される、データマッチング挿入モジュールであって、前記広告コンテンツは、前記配置要件受信モジュールによって受信された前記記憶領域の前記識別情報に従って広告ストレージから予めまたはリアルタイムに要求された広告コンテンツである、データマッチング挿入モジュールとを備える、広告挿入デバイス。
【請求項３０】
前記属性情報は、データ取得時間と、キーワードと、送信元と、宛先と、前記ユーザのパーソナル情報とのうちの1つまたは複数の項目を含み、
前記属性情報決定モジュールが前記ユーザにフィードバックされる前記データの前記属性情報を決定するように構成されることは、
前記属性情報にある前記データ取得時間が前記配置要件情報にある前記配置時間セグメントを満たしていると決定することと、
前記属性情報にある前記キーワードが前記配置要件情報にある前記マッチングキーワードを満たしていると決定することと、
前記属性情報にある前記送信元と前記宛先とのうちの1つまたは双方が前記配置要件情報にある前記配置エリアを満たしていると決定することと、
前記属性情報にある前記ユーザの前記パーソナル情報が前記配置要件情報にある前記配置対象情報を満たしていると決定することとのうちの1つまたは複数の状況を特に含む、請求項29に記載の広告挿入デバイス。
【請求項３１】
前記広告挿入デバイスは、
データ取得モジュールと、データ分析モジュールとをさらに含み、
前記データ取得モジュールは、ユーザにフィードバックされるデータを取得するように構成され、前記データは、テキストと、写真と、オーディオと、ビデオとのうちの少なくとも一種類を含み、
前記データ分析モジュールは、前記データの属性情報を取得するために、前記データ取得モジュールによって取得された前記データにディープ・パケット・インスペクションを実行するように構成される、請求項29または30に記載の広告挿入デバイス。
【請求項３２】
端末であって、
広告ポリシー及び課金制御機能によって送信された広告コンテンツの配置要件情報と前記広告コンテンツに対応する記憶領域の識別情報とを受信するように構成される、配置要件受信モジュールであって、前記配置要件情報は、マッチングキーワードと、配置エリアと、配置対象情報と、配置時間セグメントとのうちの1つまたは複数の項目を含む、配置要件受信モジュールと、
ユーザにフィードバックされるデータの属性情報が、前記配置要件受信モジュールによって受信された前記配置要件情報にある前記マッチングキーワードと、前記配置エリアと、前記配置対象情報と、前記配置時間セグメントとのうちの1つまたは複数の項目を満たしていると決定するように構成される、属性情報決定モジュールと、
前記ユーザにフィードバックされる前記データの前記属性情報が、前記配置要件受信モジュールによって受信された前記配置要件情報にある前記マッチングキーワードと、前記配置エリアと、前記配置対象情報と、前記配置時間セグメントとのうちの1つまたは複数の項目を満たしていると属性情報決定モジュールが決定した後に、前記広告コンテンツを前記データに挿入するように構成される、データマッチング挿入モジュールであって、前記広告コンテンツは、前記配置要件受信モジュールによって受信された前記記憶領域の前記識別情報に従って広告ストレージから予めまたはリアルタイムに要求された広告コンテンツである、データマッチング挿入モジュールとを備える、端末。
【請求項３３】
前記属性情報決定モジュールによって決定された前記属性情報は、データ取得時間と、キーワードと、送信元と、宛先と、ユーザのパーソナル情報とのうちの1つまたは複数の項目を含み、
前記属性情報決定モジュールが前記ユーザにフィードバックされる前記データの属性情報を決定するように構成されることは、
前記属性情報にある前記データ取得時間が前記配置要件情報にある前記配置時間セグメントを満たしていると決定することと、
前記属性情報にある前記キーワードが前記配置要件情報にある前記マッチングキーワードを満たしていると決定することと、
前記属性情報にある前記送信元と前記宛先とのうちの1つまたは双方が前記配置要件情報にある前記配置エリアを満たしていると決定することと、
前記属性情報にある前記ユーザの前記パーソナル情報が前記配置要件情報にある前記配置対象情報を満たしていると決定することとのうちの1つまたは複数の状況を特に含む、請求項32に記載の端末。
【請求項３４】
前記端末は、
データ取得モジュールと、データ分析モジュールとをさらに備え、
前記データ取得モジュールは、ユーザにフィードバックされるデータを取得するように構成され、前記データは、テキストと、写真と、オーディオと、ビデオとのうちの少なくとも一種類を含み、
前記データ分析モジュールは、前記データの属性情報を取得するために、前記データ取得モジュールによって取得された前記データにディープ・パケット・インスペクションを実行するように構成される、請求項32または33に記載の端末。
【請求項３５】
前記端末は、
広告ポリシー及び課金制御機能によって送信されたプリセットショート情報を受信するように構成される、ショート情報受信モジュールと、
インターネット接続に従って、前記広告コンテンツの前記配置要件情報、前記広告コンテンツに対応する前記記憶領域の前記識別情報、および/または前記広告コンテンツを取得するために、前記ショート情報受信モジュールによって受信された前記プリセットショート情報に従って前記インターネット接続を確立するように構成される、接続確立モジュールとをさらに備える、請求項32から34のいずれか一項に記載の端末。
【請求項３６】
端末であって、
広告ポリシー及び課金制御機能によって送信された広告コンテンツの配置要件情報と前記広告コンテンツに対応する記憶領域の識別情報とを受信するように構成される、配置要件受信モジュールであって、前記配置要件情報は、マッチングトリガイベントを含む、配置要件受信モジュールと、
端末によって収集されたトリガイベントが前記配置要件情報にある前記マッチングトリガイベントと同一であると決定するように構成される、トリガイベント決定モジュールと、
前記端末によって収集された前記トリガイベントが前記配置要件受信モジュールによって受信された前記配置要件情報にある前記マッチングトリガイベントと同一であると前記トリガイベント決定モジュールが決定した後に、前記広告コンテンツを前記端末のスクリーンに再生するように構成される、行動マッチング挿入モジュールであって、前記広告コンテンツは、前記配置要件受信モジュールによって受信された前記記憶領域の前記識別情報に従って広告ストレージから予めまたはリアルタイムに要求された広告コンテンツである、行動マッチング挿入モジュールとを備える、端末。
【請求項３７】
前記トリガイベント決定モジュールによって決定された前記トリガイベントは、ボタンの押下と、タッチスクリーンの押下と、音声信号の受信と、アプリケーションの起動と、端末のアクセスロック解除の失敗とのうちの少なくとも一種類を含む、請求項36に記載の端末。
【請求項３８】
前記端末は、
ユーザ操作によって生成されたトリガイベントを収集するように構成される、トリガイベント収集モジュールをさらに備え、
前記行動マッチング挿入モジュールは、前記端末によって収集された前記トリガイベントが前記配置要件情報にある前記マッチングトリガイベントと同一であると前記トリガイベント決定モジュールが決定すると、元の表示コンテンツ上にオーバーラップまたは覆うようにして前記広告コンテンツを前記端末の前記スクリーンの全エリアまたは一部エリアに再生するようにさらに特に構成される、請求項36または37に記載の端末。
【請求項３９】
前記端末は、
前記広告ポリシー及び課金制御機能によって送信されたプリセットショート情報を受信するように構成される、ショート情報受信モジュールと、
インターネット接続に従って、前記広告コンテンツの前記配置要件情報、前記広告コンテンツに対応する前記記憶領域の前記識別情報、および/または前記広告コンテンツを取得するために、前記ショート情報受信モジュールによって受信された前記プリセットショート情報に従って前記インターネット接続を確立するように構成される、接続確立モジュールとをさらに備える、請求項36から38のいずれか一項に記載の端末。
【請求項４０】
請求項18から24のいずれか一項に記載の広告ポリシー及び課金制御機能と、請求項25から28のいずれか一項に記載の広告ストレージとを備える、広告ストレージシステム。
【請求項４１】
請求項23に記載の広告ポリシー及び課金制御機能と、請求項28に記載の広告ストレージと、請求項29から31のいずれか一項に記載の広告挿入デバイスとを備える、広告挿入システム。
【請求項４２】
請求項23または24に記載の広告ポリシー及び課金制御機能と、請求項28に記載の広告ストレージと、請求項32から35のいずれか一項に記載の端末とを備える、広告挿入システム。
【請求項４３】
請求項23または24に記載の広告ポリシー及び課金制御機能と、請求項28に記載の広告ストレージと、請求項36から39のいずれか一項に記載の端末とを備える、広告挿入システム。
【発明の詳細な説明】
【技術分野】
【０００１】
本発明は、モバイル通信の分野に関し、具体的には、広告ストレージ方法および広告挿入方法、デバイス、ならびにシステムに関する。
【背景技術】
【０００２】
無線通信技術の発達に伴って、スマートフォン、タブレットコンピュータ、電子書籍リーダなどのモバイル端末は、インターネットに容易にアクセスすることを可能としている。モバイル端末がインターネットにアクセスしているときには、モバイル端末は、まず無線ネットワークにアクセスする必要があり、そして無線ネットワークを介してインターネットにアクセスする。この場合、無線ネットワークは、モバイル端末とインターネットとの間の橋渡しの役割を果たす。
【０００３】
モバイル端末によってアクセスされたデータへの広告の挿入は、第1に、広告プロバイダが、電子メールまたはインスタントメッセージプログラムなどの通信ツールを使用することによって広告コンテンツをインターネットにあるサービスプロバイダに提供するステップと、第2に、サービスプロバイダに属する運用および保守要員が、条件を満たす管理サーバにある広告コンテンツを記憶して設定するステップと、そして、モバイル端末が、データ取得要求をサーバに無線ネットワークを介して開始するステップであって、要求されたデータは、ウェブページ、写真、ビデオ、電子メールなどであり得る、ステップと、最後に、サーバが、広告コンテンツをモバイル端末によって要求されたデータに挿入して、データをモバイル端末にフィードバックするステップとを含む。
【０００４】
前述のプロセスにおいて、広告プロバイダによって広告コンテンツをインターネットにあるサービスプロバイダに提供することから、サービスプロバイダに属する運用および保守要員によって管理サーバにある広告コンテンツを記憶して設定することまでのプロセスを完遂するために、多くの手作業リソースおよび時間リソースがかかる。プロセス全体は時間がかかり、大部分が手作業に依存する。
【発明の概要】
【課題を解決するための手段】
【０００５】
既存の広告挿入方法は時間がかかり、大部分が手作業に依存するといった課題を解決するために、本発明の実施形態は、広告ストレージ方法および広告挿入方法、並びにデバイスを提供する。技術的解決手段は、以下の通りである。
【０００６】
第1の態様では、広告ストレージ方法を提供しており、方法は、
広告コンテンツについての情報であり広告提供デバイスによって送信された識別情報を受信するステップと、
広告コンテンツについての情報であり広告提供デバイスによって送信された説明情報を受信するステップであって、広告コンテンツの説明情報は、少なくとも広告コンテンツのサイズ情報を含む、ステップと、
広告コンテンツの説明情報がプリセット条件を満たしている場合には、広告ストレージが、広告コンテンツの識別情報とサイズ情報とに従って対応する記憶領域を広告コンテンツに割り当てることができるように、および広告ストレージが、広告コンテンツの識別情報に従って広告提供デバイスからの広告コンテンツを要求して広告コンテンツを記憶領域に記憶することができるように、広告コンテンツの識別情報とサイズ情報とを有する領域割り当て指示を広告ストレージに送信するステップ、または、広告コンテンツの説明情報がプリセット条件を満たしている場合には、記憶領域の識別情報に従って広告提供デバイスによって記憶領域にプッシュされた広告コンテンツを受信して、広告コンテンツを記憶するために、広告ストレージが、広告コンテンツの識別情報とサイズ情報とに従って対応する記憶領域を広告コンテンツに割り当て、記憶領域の識別情報を生成して、記憶領域の識別情報を広告提供デバイスに送信することができるように、広告コンテンツの識別情報とサイズ情報とを有する領域割り当て指示を広告ストレージに送信するステップとを含む。
【０００７】
第2の態様では、広告ストレージ方法を提供しており、方法は、
広告コンテンツの識別情報とサイズ情報とを有する領域割り当て指示を受信するステップと、
広告コンテンツの識別情報とサイズ情報とに従って対応する記憶領域を広告コンテンツに割り当てるステップと、
広告コンテンツの識別情報に従って広告提供デバイスからの広告コンテンツを要求して、広告コンテンツを受信して、広告コンテンツを記憶領域に記憶するステップ、または、広告提供デバイスが、記憶領域の識別情報に従って広告コンテンツを記憶領域にプッシュすることができるように、記憶領域の識別情報を生成して、記憶領域の識別情報を広告提供デバイスに提供するステップと、広告コンテンツを受信して記憶するステップとを含む。
【０００８】
第3の態様では、広告挿入方法を提供しており、方法は、
広告ポリシー及び課金制御機能によって送信された広告コンテンツの配置要件情報と広告コンテンツに対応する記憶領域の識別情報とを受信するステップであって、配置要件情報は、マッチングキーワードと、配置エリアと、配置対象情報と、配置時間セグメントと、マッチングトリガイベントとのうちの1つまたは複数の項目を含む、ステップと、
ユーザにフィードバックされるデータの属性情報が、配置要件情報にあるマッチングキーワードと、配置エリアと、配置対象情報と、配置時間セグメントとのうちの1つまたは複数の項目を満たしている場合には、広告コンテンツをデータに挿入するステップであって、広告コンテンツは、記憶領域の識別情報に従って広告ストレージから予めまたはリアルタイムに要求された広告コンテンツである、ステップと、
端末によって収集されたトリガイベントが配置要件情報にあるマッチングトリガイベントと同一である場合には、広告コンテンツを端末のスクリーンに再生するステップとを含む。
【０００９】
第4の態様では、広告ポリシー及び課金制御機能を提供しており、広告ポリシー及び課金制御機能は、
広告コンテンツについての情報であり広告提供デバイスによって送信された識別情報を受信するように構成される、広告識別受信モジュールと、
広告コンテンツについての情報であり広告提供デバイスによって送信された説明情報を受信するように構成される、説明情報受信モジュールであって、広告コンテンツの説明情報は、少なくとも広告コンテンツのサイズ情報を含む、説明情報受信モジュールと、
説明情報受信モジュールによって受信された説明情報がプリセット条件を満たしていると決定するように構成される、プリセット条件決定モジュールと、
広告コンテンツの説明情報がプリセット条件を満たしているとプリセット条件決定モジュールが決定すると、広告ストレージが、広告コンテンツの識別情報とサイズ情報とに従って対応する記憶領域を広告コンテンツに割り当てることができるように、および広告ストレージが、広告コンテンツの識別情報に従って広告提供デバイスからの広告コンテンツを要求して広告コンテンツを記憶領域に記憶することができるように、広告ストレージに、広告コンテンツについての情報であり広告識別受信モジュールによって受信された識別情報と、広告コンテンツについての情報であり説明情報受信モジュールによって受信されたサイズ情報とを有する領域割り当て指示を送信するように構成される、または、広告コンテンツの説明情報がプリセット条件を満たしているとプリセット条件決定モジュールが決定すると、記憶領域の識別情報に従って広告提供デバイスによって記憶領域にプッシュされた広告コンテンツを受信して、広告コンテンツを記憶するために、広告ストレージが、広告コンテンツの識別情報とサイズ情報とに従って対応する記憶領域を広告コンテンツに割り当て、記憶領域の識別情報を生成して、記憶領域の識別情報を広告提供デバイスに送信することができるように、広告ストレージに、広告コンテンツについての情報であり広告識別受信モジュールによって受信された識別情報と、広告コンテンツについての情報であり説明情報によって受信されたサイズ情報とを有する領域割り当て指示を送信するように構成される、割り当て指示送信モジュールとを備える。
【００１０】
第5の態様では、広告ストレージを提供しており、広告ストレージは、割り当て指示受信モジュールと、記憶領域割り当てモジュールと、能動的広告取得モジュールと受動的広告取得モジュールとのうちの1つを備える。
割り当て指示受信モジュールは、広告コンテンツの識別情報とサイズ情報とを有する領域割り当て指示を受信するように構成される。ここで、領域割り当て指示は、広告コンテンツの説明情報に含まれている情報がプリセット条件を満たしているときには、広告ポリシー及び課金制御機能によって送信され、広告コンテンツの説明情報は、少なくとも広告コンテンツのサイズ情報を含む。
記憶領域割り当てモジュールは、広告コンテンツについての情報であり割り当て指示受信モジュールによって受信された識別情報とサイズ情報とに従って、対応する記憶領域を広告コンテンツに割り当てるように構成される。
能動的広告取得モジュールは、広告コンテンツについての情報であり割り当て指示受信モジュールによって受信された識別情報に従って、広告提供デバイスからの広告コンテンツを要求して、広告コンテンツを受信して広告コンテンツを記憶領域に記憶するように構成される。
受動的広告取得モジュールは、広告提供デバイスが、記憶領域の識別情報に従って広告コンテンツを記憶領域にプッシュすることができるように、記憶領域割り当てモジュールによって割り当てられた記憶領域の識別情報を生成して、記憶領域の識別情報を広告提供デバイスに提供するように構成され、広告コンテンツを受信して記憶するように構成される。
【００１１】
第6の態様では、広告挿入デバイスを提供しており、それを介して端末がインターネットにアクセスするネットワーク要素デバイスで使用され、広告挿入デバイスは、
広告ポリシー及び課金制御機能によって送信された広告コンテンツの配置要件情報と広告コンテンツに対応する記憶領域の識別情報とを受信するように構成される、配置要件受信モジュールであって、配置要件情報は、マッチングキーワードと、配置エリアと、配置対象情報と、配置時間セグメントとのうちの1つまたは複数の項目を含む、配置要件受信モジュールと、
ユーザにフィードバックされるデータの属性情報が、配置要件情報にあるマッチングキーワードと、配置エリアと、配置対象情報と、配置時間セグメントとのうちの1つまたは複数の項目を満たしていると決定するように構成される、属性情報決定モジュールと、
ユーザにフィードバックされるデータの属性情報が、配置要件受信モジュールによって受信された配置要件情報にあるマッチングキーワードと、配置エリアと、配置対象情報と、配置時間セグメントとのうちの1つまたは複数の項目を満たしていると属性情報決定モジュールが決定した後に、広告コンテンツをデータに挿入するように構成される、データマッチング挿入モジュールであって、広告コンテンツは、配置要件受信モジュールによって受信された記憶領域の識別情報に従って広告ストレージから予めまたはリアルタイムに要求された広告コンテンツである、データマッチング挿入モジュールとを備える。
【００１２】
第7の態様では、端末を提供しており、端末は、
広告ポリシー及び課金制御機能によって送信された広告コンテンツの配置要件情報と広告コンテンツに対応する記憶領域の識別情報とを受信するように構成される、配置要件受信モジュールであって、配置要件情報は、マッチングキーワードと、配置エリアと、配置対象情報と、配置時間セグメントとのうちの1つまたは複数の項目を含む、配置要件受信モジュールと、
ユーザにフィードバックされるデータの属性情報が、配置要件情報にあるマッチングキーワードと、配置エリアと、配置対象情報と、配置時間セグメントとのうちの1つまたは複数の項目を満たしていると決定するように構成される、属性情報決定モジュールと、
ユーザにフィードバックされるデータの属性情報が、配置要件受信モジュールによって受信された配置要件情報にあるマッチングキーワードと、配置エリアと、配置対象情報と、配置時間セグメントとのうちの1つまたは複数の項目を満たしていると属性情報決定モジュールが決定した後に、広告コンテンツをデータに挿入するように構成される、データマッチング挿入モジュールであって、広告コンテンツは、配置要件受信モジュールによって受信された記憶領域の識別情報に従って広告ストレージから予めまたはリアルタイムに要求された広告コンテンツである、データマッチング挿入モジュールとを備える。
【００１３】
第8の態様では、端末を提供しており、端末は、
広告ポリシー及び課金制御機能によって送信された広告コンテンツの配置要件情報と広告コンテンツに対応する記憶領域の識別情報とを受信するように構成される、配置要件受信モジュールであって、配置要件情報は、マッチングトリガイベントを含む、配置要件受信モジュールと、
端末によって収集されたトリガイベントが配置要件情報にあるマッチングトリガイベントと同一であると決定するように構成される、トリガイベント決定モジュールと、
端末によって収集されたトリガイベントが配置要件情報にあるマッチングトリガイベントと同一であるとトリガイベント決定モジュールが決定した後に、広告コンテンツを端末のスクリーンに再生するように構成される、行動マッチング挿入モジュールであって、広告コンテンツは、配置要件受信モジュールによって受信された記憶領域の識別情報に従って広告ストレージから予めまたはリアルタイムに要求された広告コンテンツである、行動マッチング挿入モジュールと、
【００１４】
第9の態様では、広告ストレージシステムを提供しており、広告ストレージシステムは、第4の態様において提供されているような広告ポリシー及び課金制御機能と、第5の態様において提供されているような広告ストレージとを備える。
【００１５】
第10の態様では、広告挿入システムを提供しており、広告挿入システムは、第4の態様において提供されているような広告ポリシー及び課金制御機能と、第5の態様において提供されているような広告ストレージと、第6の態様において提供されているような広告挿入デバイスとを備える。
【００１６】
第11の態様では、広告挿入システムを提供しており、広告挿入システムは、第4の態様において提供されているような広告ポリシー及び課金制御機能と、第5の態様において提供されているような広告ストレージと、第7の態様において提供されているような端末とを備える。
【００１７】
第12の態様では、広告挿入システムを提供しており、広告挿入システムは、第4の態様において提供されているような広告ポリシー及び課金制御機能と、第5の態様において提供されているような広告ストレージと、第8の態様において提供されているような端末とを備える。
【００１８】
広告ポリシー及び課金制御機能は、広告コンテンツについての情報であり広告提供デバイスによって送信された識別情報と説明情報とを受信して、広告コンテンツの説明情報がプリセット条件を満たしているかどうかに従って、広告を記憶するかどうかをさらに決定しており、それによって、長時間かけて広告を記憶するかどうかを手作業で決定するという従来技術の課題を解決し、手作業に依らず広告を記憶するかどうかを決定できるというという効果を実現している。
【００１９】
広告ストレージは、広告コンテンツの識別情報に従って広告提供デバイスからの広告コンテンツを自動的に要求しており、または広告ストレージは、広告提供デバイスによってプッシュされた広告コンテンツを自動的に受信しており、それによって、広告コンテンツが電子メールまたはインスタントメッセージプログラムなどの通信ツールを主に使用することによってストレージに提供されているために広告を記憶するのに長時間かかるという従来技術の欠点、および記憶処理が主に手作業で完遂されているために広告の記憶処理が効率面で低いという従来技術の欠点を解決し、広告ストレージが広告記憶プロセスを自動的に完遂できるという効果を実現している。
【００２０】
広告挿入デバイスまたは端末は、広告コンテンツについての情報であり広告ポリシー及び課金制御機能によって提供された配置要件に従って、広告を挿入しており、それによって、広告挿入がインターネットにある特定のサーバに主に依存していて端末が特定のサーバからのデータを要求していない場合には広告を挿入できないという従来技術の課題を解決し、広告挿入デバイスまたは端末がインターネットにある任意のサーバにアクセスする際に、または端末がインターネットにある任意のサーバにアクセスしてない間にもユーザ操作によってトリガされたトリガイベントだけに依存することによって、広告を挿入できるという効果を実現している。
【００２１】
つまり、広告を自動的に受信し、記憶し、挿入するプロセスを、広告ポリシー及び課金制御機能と、広告ストレージと、広告挿入デバイスと、端末とを備える広告挿入システムによって、サービスプロバイダによる如何なる手動介入も必要とせずに実現することができる。広告記憶プロセスおよび管理サーバで広告を設定するプロセスが多くの手作業リソースおよび時間リソースを使用することによって完遂されている従来技術と比較して、手作業リソースおよび時間リソースを省くだけでなく、広告挿入効率を著しく改善することができる。
【００２２】
本発明の実施形態における技術的解決手段のより詳細な説明については、実施形態を記載するために必要となる以下の添付の図面を簡単に説明する。以下に記載の添付の図面はいくつかの本発明の実施形態を単に示すものであり、当業者は創造的努力なしでこれらの添付の図面から他の図面をさらに導出し得ることは明白であろう。
【図面の簡単な説明】
【００２３】
【図１】本発明の実施形態によって提供される広告挿入システムの概略構造図である。
【図２】本発明の実施形態によって提供される広告ストレージ方法の方法フローチャートである。
【図３】別の本発明の実施形態によって提供される広告ストレージ方法の方法フローチャートである。
【図４】さらに別の本発明の実施形態によって提供される広告ストレージ方法の方法フローチャートである。
【図５】さらに別の本発明の実施形態によって提供される広告ストレージ方法の方法フローチャートである。
【図６】本発明の実施形態によって提供される広告挿入方法の方法フローチャートである。
【図７】別の本発明の実施形態によって提供される広告挿入方法の方法フローチャートである。
【図８】さらに別の本発明の実施形態によって提供される広告挿入方法の方法フローチャートである。
【図９】さらに別の本発明の実施形態によって提供される広告挿入方法の方法フローチャートである。
【図１０】本発明の実施形態によって提供される広告ポリシー及び課金制御機能の構造ブロック図である。
【図１１ａ】別の本発明の実施形態によって提供される広告ポリシー及び課金制御機能の構造ブロック図である。
【図１１ｂ】別の本発明の実施形態によって提供される広告ポリシー及び課金制御機能の構造ブロック図である。
【図１１ｃ】別の本発明の実施形態によって提供される広告ポリシー及び課金制御機能の構造ブロック図である。
【図１２】本発明の実施形態によって提供される広告ストレージの構造ブロック図である。
【図１３ａ】別の本発明の実施形態によって提供される広告ストレージの構造ブロック図である。
【図１３ｂ】別の本発明の実施形態によって提供される広告ストレージの構造ブロック図である。
【図１４ａ】さらに別の本発明の実施形態によって提供される広告ストレージの構造ブロック図である。
【図１４ｂ】さらに別の本発明の実施形態によって提供される広告ストレージの構造ブロック図である。
【図１５】本発明の実施形態によって提供される広告挿入デバイスの構造ブロック図である。
【図１６】別の本発明の実施形態によって提供される広告挿入デバイスの構造ブロック図である。
【図１７】本発明の実施形態によって提供される端末の構造ブロック図である。
【図１８ａ】別の本発明の実施形態によって提供される端末の構造ブロック図である。
【図１８ｂ】別の本発明の実施形態によって提供される端末の構造ブロック図である。
【図１９】本発明の実施形態によって提供される端末の構造ブロック図である。
【図２０ａ】別の本発明の実施形態によって提供される端末の構造ブロック図である。
【図２０ｂ】別の本発明の実施形態によって提供される端末の構造ブロック図である。
【図２１】本発明の実施形態によって提供される広告ストレージシステムの構造ブロック図である。
【図２２】本発明の実施形態によって提供される広告挿入システムの構造ブロック図である。
【図２３】別の本発明の実施形態によって提供される広告挿入システムの構造ブロック図である。
【図２４】さらに別の本発明の実施形態によって提供される広告挿入システムの構造ブロック図である。
【発明を実施するための形態】
【００２４】
目的、技術的解決手段、および本発明の利点をより理解できるようにするために、添付の図面を参照して本発明を詳細に以下にさらに記載する。記載されている実施形態が本発明の実施形態の全てというより単なる一部に過ぎないことは、明白であろう。創造的努力なしで本発明の実施形態に基づいて当業者によって取得された他の実施形態の全ては、本発明の保護範囲にあるものとする。
【００２５】
図1を参照すれば、図1は、本発明の実施形態によって提供される広告挿入システムの概略構造図を示している。広告挿入システムは、広告提供デバイス102と、広告ポリシー及び課金制御機能104と、広告ストレージ106と、広告挿入デバイス108と、端末110とを備える。
【００２６】
広告提供デバイス102は、具体的には、広告会社または企業のある場所にあるパーソナルコンピュータまたはサーバであってもよいし、無線または有線ネットワークを介して広告ポリシー及び課金制御機能104と広告ストレージ106との各々に接続されていてもよい。
【００２７】
広告ポリシー及び課金制御機能104は、APCF(Advertisement Policy and Charging Control Function、広告ポリシー及び課金制御機能)とも称され、具体的には、独立に配置されたサーバであってもよいし、無線または有線ネットワークを介して広告提供デバイス102と広告ストレージ106との各々に接続されていてもよい。
【００２８】
広告ストレージ106は、具体的には、独立に配置されたサーバ、独立に配置されたストレージもしくはストレージネットワーク、または広告ポリシー及び課金制御機能104に配置されたストレージもしくはストレージネットワークであってもよいし、無線または有線ネットワークを介して広告提供デバイス102と広告ポリシー及び課金制御機能104との各々に接続されていてもよい。
【００２９】
広告挿入デバイス108は、AIF(Advertisement Insert Funtion、広告挿入機能エンティティ)とも称される。論理ネットワーク要素として、広告挿入デバイス108は、無線キャリアに属するとともに端末110がインターネットにアクセスする経路上に位置するネットワーク要素に配置されてもよい。例えば、広告挿入デバイスは、PGW(Packet Data network Gateway、パケットデータネットワークゲートウェイ)またはGGSN(Gateway GPRS Support Node、ゲートウェイGPRSサポートノード)に直接配置される、またはPGWまたはGGSNとPDN(Packet Data Network、パケットデータネットワーク)との間のデータチャネルに配置される。広告挿入デバイス108は、無線または有線ネットワークを介して広告ポリシー及び課金制御機能104と広告ストレージ106との各々に接続されていてもよい。
【００３０】
端末110は、UE(User Equipment、ユーザ機器)であってもよいし、無線ネットワークを介して広告ポリシー及び課金制御機能104と広告ストレージ106との各々に接続されていてもよい。
【００３１】
いくつかの実施形態では、必ず、広告挿入デバイス108および端末110は、広告ストレージ106だけに接続されていてもよい。広告ポリシー及び課金制御機能104に関連したシグナリングは、広告ストレージ106によって転送される。
【００３２】
前述の広告挿入システムおよびシステムの各デバイスのより詳細な説明については、以下の実施形態を継続して参照する。
【００３３】
図2を参照すれば、図2は、本発明の実施形態によって提供される広告ストレージ方法の方法フローチャートを示している。本実施形態を、広告ストレージ方法が図1に示した広告ポリシー及び課金制御機能に適用されている例を用いて記載する。広告ストレージ方法は、以下のステップを含む。
【００３４】
201:広告コンテンツについての情報であり広告提供デバイスによって送信された識別情報と説明情報とを受信する。ここで、広告コンテンツの説明情報は、少なくとも広告コンテンツのサイズ情報を含む。
【００３５】
広告ポリシー及び課金制御機能は、広告コンテンツについての情報であり広告提供デバイスによって送信された識別情報と説明情報とを受信してもよい。広告コンテンツの識別情報は、広告コンテンツを一意に識別するために使用される。例えば、識別情報は、一意な符号語または文字列のセットであってもよいし、例えば、一意な符号語は、23ljsdhrfgh3r6d8dhjtjl23j4l23j45jl、または広告コンテンツが広告提供デバイスに記憶されたときの広告コンテンツに対応するURL(Universal Resource Locator、ユニバーサルリソースロケータ)であってもよい。広告コンテンツの説明情報は、広告コンテンツの属性に関する情報を説明するために使用され、少なくとも広告コンテンツのサイズ情報を含み、通常、広告コンテンツのタイプ情報と、解像度情報と、符号化情報と、言語タイプと、配置要件情報とのうちの1つまたは複数の項目をさらに含む。異なる実施形態においては、広告コンテンツの説明情報は、メタデータとも称されてもよい。
【００３６】
広告ポリシー及び課金制御機能は、広告コンテンツについての情報であり広告提供デバイスによって送信された識別情報と説明情報とを同時に受信してもよいし、広告コンテンツについての情報であり広告提供デバイスによって送信された識別情報をまず受信して、広告コンテンツについての情報であり広告提供デバイスによって送信された説明情報を受信してもよいことにさらに留意すべきである。
【００３７】
202:広告コンテンツの説明情報がプリセット条件を満たしている場合には、広告ストレージが広告コンテンツを記憶することができるように、広告コンテンツの識別情報とサイズ情報とを有する領域割り当て指示を広告ストレージに送信する。
【００３８】
広告コンテンツの識別情報と説明情報と受信した後に、広告ポリシー及び課金制御機能は、広告コンテンツの説明情報がプリセット条件を満たしているかどうかを決定してもよい。プリセット条件は、予め署名された広告コンテンツに関する業務契約に規定されたSLA(Service Level Agreement、サービスレベル合意)に策定されている条件であってもよい。例えば、プリセット条件は、広告コンテンツのタイプはビデオ、サイズは20MBまで、言語は英語といったことである。広告コンテンツの説明情報がプリセット条件を満たしている場合には、広告ポリシー及び課金制御機能は、広告ストレージが広告コンテンツを記憶することができるように、広告コンテンツの識別情報とサイズ情報とを有する領域割り当て指示を広告ストレージに送信する。広告コンテンツの説明情報が少なくとも広告コンテンツのサイズ情報を含む場合には、広告ポリシー及び課金制御機能は、広告コンテンツのサイズ情報にある値がプリセット閾値未満であるどうか、広告コンテンツの説明情報がプリセット条件を満たしているかどうかに従って、決定してもよい。広告ストレージが広告コンテンツを記憶するに当たり異なる様式に従って、本ステップが、以下のサブステップを特に含んでいてもよい。
【００３９】
第1に、広告コンテンツの説明情報がプリセット条件を満たしている場合には、広告ポリシー及び課金制御機能は、広告ストレージが、広告コンテンツの識別情報とサイズ情報とに従って対応する記憶領域を広告コンテンツに割り当てることができるように、および広告ストレージが、広告コンテンツの識別情報に従って広告提供デバイスからの広告コンテンツを要求して広告提供デバイスによって送信された広告コンテンツを記憶領域に記憶することができるように、広告コンテンツの識別情報とサイズ情報とを有する領域割り当て指示を広告ストレージに送信する。
【００４０】
第2に、広告コンテンツの説明情報がプリセット条件を満たしている場合には、広告ポリシー及び課金制御機能は、広告ストレージが、広告コンテンツの識別情報とサイズ情報とに従って対応する記憶領域を広告コンテンツに割り当てることができるように、および広告ストレージが、記憶領域の識別情報を生成して、記憶領域の識別情報を広告提供デバイスに送信して、記憶領域の識別情報に従って広告提供デバイスによって記憶領域にプッシュされた広告コンテンツを受信して、広告コンテンツを記憶することができるように、広告コンテンツの識別情報とサイズ情報とを有する領域割り当て指示に広告ストレージに送信する。
【００４１】
つまり、本実施形態によって提供される広告ストレージ方法では、広告コンテンツについての情報であり広告提供デバイスによって送信された識別情報と説明情報とが受信され、広告コンテンツの説明情報がプリセット条件を満たしているかどうかに従って、広告を記憶するかどうかをさらに決定しており、それによって、長時間かけて広告を記憶するかどうかを手作業で決定するという従来技術の課題を解決し、手作業に依らず広告を記憶するかどうかを決定できるというという効果を実現している。
【００４２】
図3を参照すれば、図3は、別の本発明の実施形態によって提供される広告ストレージ方法の方法フローチャートを示している。本実施形態を、広告ストレージ方法が図1に示した広告ストレージに適用されている例を用いて記載する。広告ストレージ方法は、以下のステップを含む。
【００４３】
301:広告コンテンツの識別情報とサイズ情報とを有する領域割り当て指示を受信する。
【００４４】
広告ポリシー及び課金制御機能は、広告コンテンツについての情報であり広告提供デバイスによって送信された識別情報と説明情報とを受信してもよいし、広告コンテンツの説明情報がプリセット条件を満たしている場合には、広告ポリシー及び課金制御機能は、広告コンテンツの識別情報とサイズ情報とを有する領域割り当て指示を広告ストレージに送信する。続いて、広告ストレージは、広告ポリシー及び課金制御機能によって送信され、広告コンテンツの識別情報とサイズ情報とを有する、領域割り当て指示を受信する。広告コンテンツのサイズ情報は、広告コンテンツの説明情報の一種である。
【００４５】
302:広告コンテンツの識別情報とサイズ情報とに従って対応する記憶領域を広告コンテンツに割り当てる。
【００４６】
広告ストレージが、広告コンテンツの識別情報とサイズ情報とに従って対応する記憶領域を広告コンテンツに割り当てる。一般的に言えば、広告ストレージによって割り当てられた記憶領域のサイズは、広告コンテンツのサイズ情報に指示されているサイズ以上であり得る。例えば、広告コンテンツのサイズが20MBである場合には、広告ストレージによって割り当てられた記憶領域のサイズは、20MB+100KBであってもよい。ここで、100KBは、広告コンテンツの識別情報と説明情報とを記憶するためなどに使用されてもよい。
【００４７】
303:広告コンテンツを記憶領域に記憶する。
【００４８】
記憶領域を割り当てた後に、広告ストレージは、広告提供デバイスによって提供される広告コンテンツを記憶領域に記憶してもよいし、異なるストレージ様式に従って以下の2つの状況を特に含んでいてもよい。
【００４９】
第1に、広告ストレージは、広告コンテンツの識別情報に従って広告提供デバイスからの広告コンテンツを要求し、広告ストレージは、広告提供デバイスによって送信された広告コンテンツを受信して、広告コンテンツを記憶領域に記憶する。
【００５０】
第2に、広告ストレージは、広告提供デバイスが、記憶領域の識別情報に従って広告コンテンツを記憶領域にプッシュすることができるように、記憶領域の識別情報を生成して記憶領域の識別情報を広告提供デバイスに提供し、広告ストレージは、広告コンテンツを受信して記憶する。
【００５１】
つまり、本実施形態によって提供される広告ストレージ方法では、広告コンテンツが広告コンテンツの識別情報に従って広告提供デバイスから自動的に要求されており、または広告提供デバイスによってプッシュされた広告コンテンツが自動的に受信されており、それによって、広告コンテンツが電子メールまたはインスタントメッセージプログラムなどの通信ツールを主に使用することによってストレージに提供されているために広告を記憶するのに長時間かかるという従来技術の欠点、および記憶処理が主に手作業で完遂されているために広告の記憶処理が効率面で低いという従来技術の欠点を解決し、広告ストレージが広告記憶プロセスを自動的に完遂できるという効果を実現している。
【００５２】
広告ストレージが広告コンテンツを記憶する場合には、2つの実施様式が存在する。第1の実施様式のより詳細な説明については、以下の実施形態を参照する。
【００５３】
図4を参照すれば、図4は、別の本発明の実施形態によって提供される広告ストレージ方法の方法フローチャートを示している。本実施形態を、広告ストレージ方法が図1に示した広告挿入システムに適用されている例を用いて記載する。広告ストレージ方法は、次のステップを含む。
【００５４】
401:広告提供デバイスが、広告コンテンツの識別情報と説明情報とを広告ポリシー及び課金制御機能に送信する。ここで、広告コンテンツの説明情報は、少なくとも広告コンテンツのサイズ情報を含む。
【００５５】
広告提供デバイスは、広告コンテンツの識別情報と説明情報とを広告ポリシー及び課金制御機能に送信してもよい。ここで、広告コンテンツの説明情報は、少なくとも広告コンテンツのサイズ情報を含む。
【００５６】
特に、広告提供デバイスは、広告コンテンツの識別情報と説明情報とを広告ポリシー及び課金制御機能に同時に送信してもよいし、広告コンテンツの識別情報と説明情報とを広告ポリシー及び課金制御機能に独立して送信してもよい。本発明の実施形態を、広告提供デバイスが広告コンテンツの識別情報と説明情報とを広告ポリシー及び課金制御機能に同時に送信している例を用いて記載する。
【００５７】
広告提供デバイスが広告コンテンツの識別情報と説明情報とを広告ポリシー及び課金制御機能に独立して送信する場合には、本ステップは、第1に、広告提供デバイスが、広告コンテンツの識別情報を広告ポリシー及び課金制御機能に送信するサブステップと、第2に、広告ポリシー及び課金制御機能が、広告コンテンツの識別情報を受信するサブステップと、第3に、広告ポリシーが、広告コンテンツの識別情報に従って説明情報取得要求を広告提供デバイスに送信するサブステップであって、説明情報取得要求は、広告コンテンツの識別情報を有する、サブステップと、第4に、説明情報取得要求を受信した後に、広告提供デバイスが、説明情報取得要求にある広告コンテンツの識別情報に従って、対応する広告コンテンツの説明情報を広告ポリシー及び課金制御機能に送信するサブステップと、第5に、広告ポリシー及び課金制御機能が、広告コンテンツについての情報であり広告提供デバイスによって送信された説明情報を受信するサブステップとを含む。
【００５８】
本実施形態では、広告コンテンツの識別情報は、広告コンテンツが広告提供デバイスに記憶されたときの広告コンテンツに対応するURLであってもよいし、広告コンテンツの説明情報は、広告コンテンツのサイズ情報を含むだけでなく、広告コンテンツのタイプ情報と、解像度情報と、符号化情報と、言語タイプと、配置要件情報とのうちの1つまたは複数の項目を含んでいてもよい。広告コンテンツのタイプ情報は、テキストと、写真と、オーディオと、ビデオとのうちの1つまたは複数の項目を含んでいてもよいが、限定はされない。広告コンテンツのサイズ情報は、MB、KBなどを使用することによって表されるデータ量であってもよい。広告コンテンツの解像度情報は、対応する写真またはビデオの解像度であってもよい。広告コンテンツの符号化情報は、対応する写真またはビデオの符号化形式であってもよい。言語広告コンテンツのタイプは、中国語と、英語と、フランス語と、日本語とのうちの1つまたは複数の項目を含むが、限定はされない。広告コンテンツの配置要件情報は、マッチングキーワードと、マッチングトリガイベントと、配置エリアと、配置対象情報と、配置時間セグメントとのうちの1つまたは複数の項目を含むが、限定はされない。
【００５９】
402:広告コンテンツの説明情報がプリセット条件を満たしていると広告ポリシー及び課金制御機能が決定する。
【００６０】
広告コンテンツの識別情報と説明情報と受信した後に、広告ポリシー及び課金制御機能は、広告コンテンツの説明情報がプリセット条件を満たしているかどうかを決定してもよい。広告コンテンツの説明情報に含まれる情報が複数の項目の情報の組合せであってもよいので、対応するものとして、広告コンテンツの説明情報がプリセット条件を満たしていると広告ポリシー及び課金制御機能が決定することは、
広告コンテンツのタイプ情報にあるタイプがプリセットタイプを満たしていると決定することであって、プリセットタイプは、テキストと、画像と、オーディオと、ビデオとのうちの一種類または複数種類を含むが、限定はされない、ことと、
広告コンテンツの解像度情報にある解像度がプリセット解像度以下であると決定することであって、例えば、プリセット解像度が、960×640ピクセル、320×240ピクセル、などである、ことと、
広告コンテンツの符号化情報にある符号化規則がプリセット符号化規則を満たしていると決定することであって、例えば、プリセット符号化規則が、テキスト符号化規則のUnicode、ビデオ符号化のH.264などである、ことと、
広告コンテンツのサイズ情報にある値がプリセット閾値未満であるかどうかを決定することであって、例えば、プリセット閾値が、20MBである、ことと、
広告コンテンツの言語情報にある言語がプリセット言語を満たしていると決定することであって、例えば、プリセット言語が、英語または中国語である、ことと、
広告コンテンツの配置要件情報にある配置要件がプリセット配置要件を満たしていると決定することであって、例えば、プリセット配置要件が、マッチングキーワード「シャンプー」と、配置エリア「北京」と、配置対象情報「女性」と、配置時間セグメント「毎日18:00〜24:00」とを含む、こととのうちの1つまたは複数の状況を含む。
【００６１】
広告コンテンツの説明情報がプリセット条件を満たしていると広告ポリシー及び課金制御機能が決定する場合には、403が実行される。
【００６２】
403:広告ポリシー及び課金制御機能が、広告コンテンツの識別情報と説明情報とを広告ストレージに送信する。ここで、広告コンテンツの説明情報は、少なくとも広告コンテンツのサイズ情報を含む。
【００６３】
広告ポリシー及び課金制御機能は、対応する記憶領域を広告コンテンツに割り当てるように広告ストレージに命令するために、広告コンテンツの識別情報と説明情報とを広告ストレージに送信する。
【００６４】
404:広告ストレージが、広告コンテンツの識別情報とサイズ情報とに従って対応する記憶領域を広告コンテンツに割り当てる。
【００６５】
広告ストレージは、広告コンテンツについての情報であり広告ポリシー及び課金制御機能によって送信された識別情報と説明情報とを受信してもよい。そして、広告ストレージは、広告コンテンツのサイズ情報に従って、対応する記憶領域を識別情報によって識別される広告コンテンツに割り当てる。一般的に言えば、広告ストレージによって割り当てられた記憶領域のサイズは、広告コンテンツのサイズ情報に指示されているサイズ以上であり得る。例えば、広告コンテンツのサイズが20MBである場合には、広告ストレージによって割り当てられた記憶領域のサイズは、20MB+100KBであってもよい。ここで、100KBは、広告コンテンツの識別情報と説明情報とを記憶するためなどに使用されてもよい。別の例としては、広告コンテンツのサイズが10MBであり広告コンテンツの説明情報のサイズが102KBである場合には、広告ストレージによって割り当てられた記憶領域のサイズは、10MB+102KBであってもよい。
【００６６】
405:広告ストレージが、広告コンテンツの識別情報に従って広告提供デバイスからの広告コンテンツを要求する。
【００６７】
広告ストレージは、広告コンテンツの識別情報に従って広告提供デバイスからの広告コンテンツを要求する。例えば、本実施形態では、広告コンテンツの識別情報は、広告コンテンツが広告提供デバイスに記憶されたときの広告コンテンツに対応するURLであり、広告ストレージは、HTTP(hypertext transport protocol、ハイパーテキスト転送プロトコル)のGETコマンドを使用することによって、またはFTP(File Transfer Protocol、ファイル転送プロトコル)様式において、広告提供デバイスからの広告コンテンツを要求してもよい。広告コンテンツの識別情報が一意な符号語または文字列のセットであり、例えば一意な符号語が23ljsdhrfgh3r6d8dhjtjl23j4l23j45jlであり得る場合には、広告ストレージは、まず広告コンテンツ取得要求を広告提供デバイスに送信してもよい。ここで、広告コンテンツ取得要求は、広告コンテンツの識別情報を有する。そして、広告ストレージは、広告提供デバイスによってフィードバックされるとともに広告コンテンツが広告提供デバイスに記憶されたときの広告コンテンツに対応するURLを受信して、前述のステップを実行する。
【００６８】
406:広告提供デバイスが、広告コンテンツを広告ストレージに送信する。
【００６９】
広告提供デバイスは、識別情報に対応する広告コンテンツを広告ストレージに送信する。
【００７０】
407:広告ストレージが、広告コンテンツを受信して広告コンテンツを対応する記憶領域に記憶する。
【００７１】
408:広告ストレージが、記憶領域の識別情報を生成して、記憶領域の識別情報を広告ポリシー及び課金制御機能に送信する。
【００７２】
広告ストレージが広告コンテンツを記憶するのに成功した後に、広告ストレージは、記憶領域を識別するための識別情報を生成する。特に、記憶領域の識別情報は、記憶領域に対応するURLであってもよい。そして、広告ストレージは、記憶領域の識別情報を広告ポリシー及び課金制御機能に送信してもよい。広告ポリシー及び課金制御機能は、記憶領域の識別情報を記憶して、記憶領域の識別情報を対応する広告コンテンツの識別情報と説明情報とに関連付けてもよい。
【００７３】
409:広告コンテンツの説明情報が広告コンテンツの配置要件情報を含む場合には、広告ポリシー及び課金制御機能が、広告挿入デバイスまたは端末に、広告コンテンツの配置要件情報と広告コンテンツに対応する記憶領域の識別情報とを送信する。
【００７４】
広告コンテンツの説明情報が広告コンテンツの配置要件情報を含む場合には、広告ポリシー及び課金制御機能は、広告挿入デバイスまたは端末が、広告コンテンツの配置要件情報に従って広告コンテンツを挿入することができるように、広告挿入デバイスまたは端末に、広告コンテンツの配置要件情報と広告コンテンツに対応する記憶領域の識別情報とを送信する。
【００７５】
端末がインターネットに常にアクセスしているわけではないことに特に留意すべきである。したがって、端末がインターネットにアクセスしていないときには、広告ポリシー及び課金制御機能は、端末に、広告コンテンツの配置要件情報と広告コンテンツに対応する記憶領域の識別情報とを送信することはできない。この場合、広告ポリシー及び課金制御機能は、以下のステップをまず実行してもよい。
【００７６】
第1に、プリセットショート情報を受信した後に端末がインターネット接続を確立することができるように、プリセットショート情報を端末に送信する。
【００７７】
広告ポリシー及び課金制御機能は、プリセットショート情報を受信した後に端末がインターネット接続を確立することができるように、端末がインターネットにアクセスしていないときには、プリセットショート情報を端末に送信してもよい。好ましくは、広告ポリシー及び課金制御機能は、例えば午前1:00に端末がアイドルのときに、プリセットショート情報を端末に送信してもよい。プリセットショート情報の内容は、符号語または命令のセットであってもよいし、プリセットショート情報を受信した後に端末がインターネット接続を確立するようにトリガされ得る限り、本明細書では限定されないがパケット交換ネットワークにおける広告ポリシー及び課金制御機能のIPアドレスを有していてもよい。本明細書では、「インターネット接続」は、パケット交換ネットワークにおいて端末によって確立された接続を通常は表す。
【００７８】
第2に、端末によって確立されたインターネット接続を使用することによって送信された情報取得要求を受信する。ここで、情報取得要求は、広告コンテンツの配置要件情報および/または広告コンテンツに対応する記憶領域の識別情報を要求するために使用される。
【００７９】
インターネット接続を確立した後に、端末は、情報取得要求を広告ポリシー及び課金制御機能に能動的に送信してもよい。ここで、情報取得要求は、広告コンテンツの配置要件情報および/または広告コンテンツに対応する記憶領域の識別情報を要求するために使用される。この場合、広告ポリシー及び課金制御機能は、端末に、広告コンテンツの配置要件情報と広告コンテンツに対応する記憶領域の識別情報とを送信する。
【００８０】
410:広告ストレージが、広告挿入デバイスまたは端末によって記憶領域の識別情報に従って送信された広告コンテンツ取得要求を受信する。
【００８１】
広告挿入デバイスまたは端末が広告を挿入するときまたは前に、広告コンテンツ取得要求は、記憶領域の識別情報に従って広告ストレージに送信されてもよい。広告ストレージは、広告挿入デバイスまたは端末によって記憶領域の識別情報に従って送信された広告コンテンツ取得要求を受信する。
【００８２】
411:広告ストレージが、記憶領域に記憶された広告コンテンツを広告挿入デバイスまたは端末に送信する。
【００８３】
広告コンテンツ取得要求を受信した後に、広告ストレージは、広告挿入デバイスまたは端末が広告コンテンツを挿入することができるように、対応する記憶領域に記憶された広告コンテンツを広告挿入デバイスまたは端末に送信する。
【００８４】
つまり、本実施形態によって提供される広告ストレージ方法では、広告ポリシー及び課金制御機能は、広告コンテンツについての情報であり広告提供デバイスによって送信された識別情報と説明情報とを受信して、広告コンテンツの説明情報がプリセット条件を満たしているかどうかに従って、広告を記憶するかどうかをさらに決定しており、それによって、長時間かけて広告を記憶するかどうかを手作業で決定するという従来技術の課題を解決し、手作業に依らず広告を記憶するかどうかを決定できるというという効果を実現している。広告ストレージは、広告コンテンツの識別情報に従って広告提供デバイスからの広告コンテンツを自動的に要求しており、または広告ストレージは、広告提供デバイスによってプッシュされた広告コンテンツを自動的に受信しており、それによって、広告コンテンツが、手作業、または電子メールもしくはインスタントメッセージプログラムなどの通信ツールを主に使用することによってストレージに提供されているために広告を記憶するのに長時間かかるという従来技術の欠点、および記憶処理が主に手作業で完遂されているために広告の記憶処理が効率面で低いという従来技術の欠点を解決し、広告ストレージが広告記憶プロセスを自動的に完遂できるという効果を実現している。その上、広告ストレージは、広告提供デバイスからの広告コンテンツを能動的に要求しており、したがって、大量の広告コンテンツが記憶されているときには、広告ストレージは、その負荷に応じて、広告コンテンツを能動的に要求する時期を選択してもよい。このことは、ピーク時の広告ストレージの処理負荷を低減することに役立つ。さらに、広告ポリシー及び課金制御機能は、広告コンテンツの関連情報を広告ポリシー及び課金制御機能から能動的に取得するために、プリセットショート情報を端末に送信してインターネット接続を確立するように端末をトリガしており、それによって、端末がインターネットにある特定のサーバにアクセスしていないときには広告挿入を実施することができないという従来技術の課題を解決し、端末がインターネットにアクセスしていない場合にでさえ、広告ポリシー及び課金制御機能はそれでも、広告を挿入するために、端末が広告コンテンツおよび関連情報を取得するのを受動的に待機するのではなく、広告コンテンツの関連情報を取得するように端末を能動的にトリガしてもよい。
【００８５】
広告ストレージが広告コンテンツを記憶する場合には、2つの実施様式が存在する。前述の実施形態では、第1の実施様式を詳細に記載した。第2の実施様式のより詳細な説明については、以下の実施形態を参照する。
【００８６】
図5を参照すれば、図5は、さらに別の本発明の実施形態によって提供される広告ストレージ方法の方法フローチャートを示している。本実施形態を、広告ストレージ方法が図1に示した広告挿入システムに適用されている例を用いてさらに記載する。しかしながら、本実施形態は、広告コンテンツが広告提供デバイスによって広告ストレージにプッシュされている点で、前述の実施形態とは異なっている。広告ストレージ方法は、以下のステップを特に含む。
【００８７】
ステップ501乃至ステップ504はステップ401乃至ステップ404と同様であるが、差異は以下のステップにある。
【００８８】
505:広告ストレージは、記憶領域の識別情報を生成して、記憶領域の識別情報を広告ポリシー及び課金制御機能に送信する。
【００８９】
広告ストレージが記憶領域を割り当てるのに成功した後に、広告ストレージは、記憶領域を識別するために使用される識別情報を生成する。特に、記憶領域の識別情報は、記憶領域に対応するURLであってもよい。確かに、記憶領域の識別情報は、記憶領域を一意に識別することができる符号語または文字列のセットなどであってもよい。そして、広告ストレージは、記憶領域の識別情報を広告ポリシー及び課金制御機能に送信してもよい。
【００９０】
506:広告ポリシー及び課金制御機能が、記憶領域の識別情報を受信及び記憶して、記憶領域の識別情報を対応する広告コンテンツの識別情報と説明情報とに関連付ける。
【００９１】
507:広告ポリシー及び課金制御機能が、記憶領域の識別情報を広告提供デバイスに転送する。
【００９２】
508:広告提供デバイスが、記憶領域の識別情報に従って広告コンテンツを記憶領域にプッシュする。
【００９３】
記憶領域の識別情報が記憶領域に対応するURLである場合には、広告提供デバイスは、HTTPのPOSTコマンドまたはFTPコマンドを使用することによって、広告コンテンツを記憶領域の識別情報によって指示されている記憶領域にプッシュしてもよい。
【００９４】
509:識別情報によって識別される広告コンテンツを受信するのに成功した後に、広告ストレージが、ストレージ成功メッセージを広告ポリシー及び課金制御機能に送信する。
【００９５】
識別情報によって識別される広告コンテンツを受信するのに成功した後に、広告ストレージは、ストレージ成功メッセージを広告ポリシー及び課金制御機能に送信する。加えて、広告ストレージは、広告提供デバイスに、識別情報によって識別される広告コンテンツを受信することに成功したことを指示するために使用されるフィードバック情報を送信してもよい。
【００９６】
510:広告コンテンツを対応する記憶領域にプッシュするのに成功した後に、広告提供デバイスが、送信成功メッセージを広告ポリシー及び課金制御機能に送信する。
【００９７】
広告ストレージによって送信されるとともに識別情報によって識別される広告コンテンツを受信することに成功したことを指示するために使用されるフィードバック情報を受信した後に、広告提供デバイスは、送信成功メッセージを広告ポリシー及び課金制御機能に送信してもよい。
【００９８】
以降では、広告ポリシー及び課金制御機能は、ここでは繰り返し記載しないが、409乃至411に記載しているような内容を継続して実行してもよい。
【００９９】
つまり、前述の実施形態と比較して、広告提供デバイスは、広告コンテンツの記憶プロセス中にシグナリングおよび手続きの一部を広告ストレージに代わって広告提供デバイスによって処理することができるように、広告コンテンツを広告ストレージにプッシュしており、それによって、シグナリングを省き、広告ストレージの処理負荷を低減している。
【０１００】
さらに、広告コンテンツが広告ストレージに記憶された後に、広告コンテンツは、広告挿入デバイスまたは端末によって挿入される必要がある。したがって、以下の実施形態を継続して参照する。
【０１０１】
図6を参照すれば、図6は、本発明の実施形態によって提供される広告挿入方法の方法フローチャートを示している。本実施形態を、広告挿入方法が図1に示した広告挿入デバイスまたは端末に適用されている例を用いて記載する。広告挿入方法は、以下のステップを含む。
【０１０２】
601:広告ポリシー及び課金制御機能によって送信された広告コンテンツの配置要件情報と広告コンテンツに対応する記憶領域の識別情報とを受信する。
【０１０３】
広告挿入デバイスまたは端末は、広告ポリシー及び課金制御機能によって送信された広告コンテンツの配置要件情報と広告コンテンツに対応する記憶領域の識別情報とを受信していてもよい。広告コンテンツの配置要件情報は、広告コンテンツに対応する記憶領域の識別情報と1対1で対応している。
【０１０４】
広告コンテンツの配置要件情報は、マッチングキーワードと、配置エリアと、配置対象情報と、配置時間セグメントと、マッチングトリガイベントとのうちの1つまたは複数の項目を含む。マッチングキーワードは、ユーザがアクセスすることを要求しているデータまたはウェブサイトが満たすべきキーワードを表す。キーワードは、風邪薬、コードなどの単語であってもよい。配置エリアは、データへアクセスすることを要求しているユーザがいる領域を表す。配置対象情報は、データへアクセスすることを要求しているユーザの性別、年齢、または職業が満たすべき条件を表す。配置時間セグメントは、広告が配置されるべき日ごと、週ごと、月ごと、または年ごとの時間セグメント、および例えば1ヶ月間または半年間などの総タイムスパンを表す。配置要件情報は、広告配置の回数または広告配置の期間をさらに含んでいてもよい。広告配置の回数または広告配置の期間は、広告コンテンツによって要求されている配置時間または配置期間の総数を表す。
【０１０５】
広告コンテンツに対応する記憶領域の識別情報は、広告コンテンツが広告ストレージに記憶された際の広告コンテンツに対応する記憶領域を識別するために使用され、特に、記憶領域の識別情報は、記憶領域に対応するURLであってもよい。
【０１０６】
602:ユーザにフィードバックされるデータの属性情報が、配置要件情報にあるマッチングキーワードと、配置エリアと、配置対象情報と、配置時間セグメントとのうちの1つまたは複数の項目を満たしている場合には、広告コンテンツをデータに挿入する。ここで、広告コンテンツは、記憶領域の識別情報に従って広告ストレージから予めまたはリアルタイムに要求された広告コンテンツである。
端末によって収集されたトリガイベントが配置要件情報にあるマッチングトリガイベントと同一である場合には、広告コンテンツを端末のスクリーンに再生する。
【０１０７】
広告挿入デバイスまたは端末は、配置要件情報に従って広告コンテンツを挿入してもよいし、この場合、2つの様式が採用され得る。第1の様式は、ユーザによってアクセスされたデータとデータの属性情報とを解析することである。第2の様式は、ユーザの行動を解析することである。第1の様式は、広告挿入エンティティまたは端末によって実施されてもよいし、第2の様式は、端末によってのみ実施されてもよい。
【０１０８】
特に、ユーザにフィードバックされるデータの属性情報が、配置要件情報にあるマッチングキーワードと、配置エリアと、配置対象情報と、配置時間セグメントとのうちの1つまたは複数の項目を満たしている場合には、広告挿入デバイスまたは端末は、広告コンテンツをユーザにフィードバックされるデータに挿入する。ここで、広告コンテンツは、記憶領域の識別情報に従って広告ストレージから予めまたはリアルタイムに要求された広告コンテンツである。
【０１０９】
端末によって収集されたトリガイベントが配置要件情報にあるマッチングトリガイベントと同一である場合には、端末は、広告コンテンツを端末のスクリーンに再生する。ここで、広告コンテンツは、記憶領域の識別情報に従って、広告ストレージから予めまたはリアルタイムに要求された広告コンテンツである。
【０１１０】
つまり、本実施形態によって提供される広告挿入方法において、広告挿入デバイスまたは端末は、広告コンテンツについての情報であり広告ポリシー及び課金制御機能によって提供された配置要件に従って、広告を挿入しており、それによって、広告挿入がインターネットにある1つのサーバに主に依存していて端末がそのサーバからのデータを要求していない場合には広告を挿入できないという従来技術の課題を解決し、広告挿入デバイスまたは端末がインターネットにある任意のサーバにアクセスする際に、または端末がインターネットにある任意のサーバにアクセスしてない間にもユーザ操作によってトリガされたトリガイベントだけに依存することによって、広告を挿入できるという効果を実現している。
【０１１１】
図7を参照すれば、図7は、別の本発明の実施形態によって提供される広告挿入方法の方法フローチャートを示している。本実施形態を、広告挿入方法が図1に示した広告挿入デバイスに適用されている例を用いて記載する。広告挿入方法は、以下のステップを含む。
【０１１２】
701:広告ポリシー及び課金制御機能によって送信された広告コンテンツの配置要件情報と広告コンテンツに対応する記憶領域の識別情報とを受信する。
【０１１３】
広告挿入デバイスは、広告ポリシー及び課金制御機能によって送信された広告コンテンツの配置要件情報と広告コンテンツに対応する記憶領域の識別情報とを受信していてもよい。
【０１１４】
広告挿入デバイスは、複数の広告コンテンツの配置要件情報と広告コンテンツに対応する記憶領域の識別情報とを予め受信し記憶していてもよい。
【０１１５】
702:ユーザにフィードバックされるデータを取得する。ここで、データは、テキストと、写真と、オーディオと、ビデオとのうちの少なくとも一種類を含む。
【０１１６】
広告挿入デバイスは、無線キャリアに属するとともに端末がインターネットにアクセスする経路上に位置するネットワーク要素に配置されてもよい。例えば、広告挿入デバイスは、PGWまたはGGSNに直接配置される、またはPGWまたはGGSNとPDNとの間のデータチャネルに配置される。広告挿入デバイスは、ユーザにフィードバックされるデータを取得してもよい。ここで、ユーザにフィードバックされるデータは、ユーザがアクセスを要求しているデータであってもよいし、特に、テキストと、写真と、オーディオと、ビデオとのうちの少なくとも一種類であってもよい。例えば、広告挿入デバイスは、PGWである。ユーザがインターネットにあるサーバにあるデータを要求している場合には、インターネットにあるサーバによってフィードバックされるデータは、PGWを経由する。この場合、広告挿入デバイスは、ユーザにフィードバックされるデータを取得してもよい。
【０１１７】
703:データの属性情報を取得するために、データにディープ・パケット・インスペクションを実行する。ここで、属性情報は、キーワードと、送信元と、宛先と、ユーザのパーソナル情報とのうちの少なくとも1つの項目を含む。
【０１１８】
広告挿入デバイスが端末によって要求されたデータを取得した後に、広告挿入デバイスは、データの内容を検査してそれによってデータの属性情報を取得するために、データにDPI(Deep packet inspection、ディープ・パケット・インスペクション)を実行してもよい。ここで、属性情報は、キーワードと、送信元と、宛先と、ユーザのパーソナル情報とのうちの少なくとも1つの項目を含んでいてもよい。データのキーワードは、テキスト内容またはデータのタイトル中のキーワードを表す。データの送信元は、データの送信元IPアドレス、またはデータのURLに対応するウェブサイトに対応する領域を表す。データの宛先は、データを要求しているユーザのIPアドレスに対応する領域を表す。データの属性情報は、データの内容、またはユーザの年齢、性別、職業などのデータを要求しているユーザのIPアドレスを解析することによって取得されるユーザのパーソナル情報の一部をさらに含んでいてもよい。
【０１１９】
704:データの属性情報が、広告コンテンツの配置要件情報にあるマッチングキーワードと、配置エリアと、配置対象特性と、配置時間セグメントとのうちの1つまたは複数の項目を満たしている場合には、広告コンテンツに対応する記憶領域の識別情報に従って広告コンテンツを広告ストレージから取得する。
【０１２０】
広告挿入デバイスは、データの属性情報が、ある広告コンテンツの配置要件情報にあるマッチングキーワードと、配置エリアと、配置対象特性と、配置時間セグメントとのうちの1つまたは複数の項目を満たしているかどうかを決定する。決定結果が「はい」である場合には、広告挿入デバイスは、広告コンテンツに対応する記憶領域の識別情報に従って広告コンテンツを広告ストレージから取得する。特に、ユーザにフィードバックされるデータの属性情報が、配置要件情報にあるマッチングキーワードと、配置エリアと、配置対象特性と、配置時間セグメントとのうちの1つまたは複数の項目を満たしていると広告挿入デバイスが決定することは、
例えば、ユーザがデータを要求している取得時間が22:31であり、広告の配置時間セグメントが毎日22:00から24:00ある場合には、属性情報にあるデータ取得時間は、配置要件情報にある配置時間セグメントを満たしているといった具合に、ユーザにフィードバックされるデータの属性情報にあるデータ取得時間が配置要件情報にある配置時間セグメントを満たしていると決定することと、
例えば、ユーザによって要求されたデータのキーワードが美、香水、およびアルコールを含み、配置要件情報にあるマッチングキーワードが香水を含んでいる場合には、属性情報にあるキーワードは、配置要件情報にあるマッチングキーワードを満たしているといった具合に、ユーザにフィードバックされるデータの属性情報にあるキーワードが配置要件情報にあるマッチングキーワードを満たしていると決定することと、
例えば、ユーザのIPアドレスに対応する領域が北京であり、配置要件情報にある配置エリアが北京または上海である場合には、属性情報にある宛先は、配置要件情報にある配置エリアを満たしているといった具合に、ユーザにフィードバックされる属性情報にある送信元と宛先とのうちの1つまたは双方が配置要件情報にある配置エリアを満たしていると決定することと、
例えば、ユーザのパーソナル情報が女性26才を含み、配置要件情報にある配置対象情報が女性15才以上である場合には、属性情報にあるユーザのパーソナル情報は、配置要件情報にある配置対象情報を満たしているといった具合に、ユーザにフィードバックされるデータの属性情報にあるユーザのパーソナル情報が配置要件情報にある配置対象情報を満たしていると決定することとのうちの1つまたは複数の状況を含む。
【０１２１】
この場合、広告挿入デバイスは、広告コンテンツに対応する記憶領域の識別情報に従って広告コンテンツを広告ストレージから取得する。例えば、本実施形態では、記憶領域の識別情報が広告ストレージにある記憶領域のURLである場合には、広告挿入デバイスは、HTTPのGETコマンドを使用することによって、またはFTP様式において、広告ストレージからの広告コンテンツを要求してもよい。記憶領域の識別情報が符号語または文字列のセットである場合には、広告挿入デバイスは、まず広告コンテンツ取得要求を広告ストレージに送信してもよい。ここで、広告コンテンツ取得要求は、記憶領域の識別情報を有する。続いて、広告挿入デバイス広告ストレージによってフィードバックされた記憶領域のURLを受信して、広告コンテンツを広告ストレージから取得するステップを実行する。
【０１２２】
705:取得した広告コンテンツをデータに挿入する。
【０１２３】
広告挿入デバイスは、取得した広告コンテンツをユーザによって要求されたデータに挿入する。特に、ユーザにフィードバックされるデータがウェブページである場合には、広告挿入デバイスは、広告コンテンツを冒頭部、末端部、およびウェブページの両サイド部に挿入してもよい。ユーザにフィードバックされるデータがビデオである場合には、広告挿入デバイスは、広告コンテンツをビデオの冒頭、中盤、または最後に挿入してもよいし、ビデオの全表示エリアに覆うまたはビデオの一部表示エリアを覆う挿入様式うちから挿入様式を選択してもよい。
【０１２４】
広告コンテンツを挿入した後に、広告挿入デバイスは、以降のクエリおよび統計を容易にするために、現在の広告挿入プロセスの関連データを記録してもよい。
【０１２５】
706:データをユーザにフィードバックする。
【０１２６】
広告コンテンツを挿入した後に、広告挿入デバイスは、広告コンテンツが挿入されたデータをユーザにフィードバックしてもよい。特に、広告挿入デバイスは、広告コンテンツが挿入されたデータをユーザが使用している端末に送信する。
【０１２７】
ユーザがデータを要求した瞬間からデータが取得された瞬間までの時間を低減するために、704では、記憶領域の識別情報に従って広告コンテンツを広告ストレージから取得することの一部を702の前に実施してもよいことに留意すべきである。この場合、ユーザがデータを要求する前に、広告挿入デバイスは、少なくとも1つの広告コンテンツを広告ストレージから取得して広告コンテンツをローカルに記憶して、そしてステップ704では、挿入のためにローカルに記憶された広告のうちの1つを直接選択してもよい。すなわち、704において挿入された広告コンテンツは、記憶領域の識別情報に従って、広告ストレージから予めまたはリアルタイムに要求された広告コンテンツである。本実施形態では、広告挿入デバイスが記憶領域の識別情報に従ってリアルタイムに広告ストレージからの広告コンテンツを要求することを、説明のために例として挙げているが、広告挿入デバイスは、記憶領域の識別情報に従って予め広告ストレージからの広告コンテンツを要求していてもよい。
【０１２８】
つまり、本実施形態によって提供される広告挿入方法では、無線キャリアに属するとともに端末がインターネットにアクセスする経路上に位置するネットワーク要素に配置されている広告挿入デバイスは、ユーザにフィードバックされるデータが広告コンテンツについての情報であり広告ポリシー及び課金制御機能によって提供された配置要件情報を満たしているかどうかに従って、広告を挿入しており、それによって、広告挿入がインターネットにある特定のサーバに主に依存していて端末が特定のサーバからのデータを要求していない場合には広告を挿入できないという従来技術の課題を解決し、端末がインターネットにある任意のサーバにアクセスする際に、広告挿入デバイスが広告を挿入できるという効果を実現している。
【０１２９】
また、前述の実施形態において提供されている広告挿入方法は、以下の実施形態を参照して、端末によって実行されてもよい。
【０１３０】
図8を参照すれば、図8は、別の本発明の実施形態によって提供される広告挿入方法の方法フローチャートを示している。本実施形態を、広告挿入方法が図1に示した端末に適用されている例を用いて記載する。広告挿入方法は、以下のステップを含む。
【０１３１】
801:広告ポリシー及び課金制御機能によって送信されたプリセットショート情報を受信する。
【０１３２】
端末がインターネットにアクセスするためにPGWまたはGGSNを介したPDN接続確立した後に、端末は、広告ポリシー及び課金制御機能によって送信された広告コンテンツの配置要件情報と広告コンテンツに対応する記憶領域の識別情報とを直接受信してもよい。しかしながら、広告挿入デバイスとは異なり、端末は、インターネットに常にアクセスしているわけではない。したがって、端末がインターネットに当初はアクセスしていない場合には、端末は、まず広告ポリシー及び課金制御機能によって送信されたプリセットSMS(Short Messaging Service、ショートメッセージサービス)情報を受信してもよい。プリセットSMSは、広告ポリシー及び課金制御機能と端末とによって予め決定された情報であってもよい。
【０１３３】
802:プリセットショート情報に従ってインターネット接続を確立して、インターネット接続に従って情報取得要求を広告ポリシー及び課金制御機能に送信する。ここで、情報取得要求は、広告コンテンツの配置要件情報と広告コンテンツに対応する記憶領域の識別情報とを取得するために使用される。
【０１３４】
プリセットSMS情報を受信した後に、端末は、インターネット接続を能動的に開始してもよい。特に、端末は、PDPコンテキスト有効化プロセスまたはPDN接続プロセスを介して送受信ベアラを確立してIPアドレスを取得してもよい。その後に、端末は、インターネット接続に従って情報取得要求を広告ポリシー及び課金制御機能に開始してもよい。ここで、情報取得要求は、広告コンテンツの配置要件情報と広告コンテンツに対応する記憶領域の識別情報とを取得するために使用される。「記憶領域の識別情報」は、本明細書では、広告コンテンツが広告ストレージに記憶された際の広告コンテンツの記憶領域を識別するために使用され、特に、広告コンテンツが広告ストレージに記憶された際の広告コンテンツの記憶領域に対応するURLであってもよい。
【０１３５】
801において端末がインターネット接続を既に確立している場合には、プロセスは、803へと直接進んでもよい。
【０１３６】
803:広告ポリシー及び課金制御機能によって送信された広告コンテンツの配置要件情報と広告コンテンツに対応する記憶領域の識別情報とを受信する。
【０１３７】
端末は、広告ポリシー及び課金制御機能によって送信された広告コンテンツの配置要件情報と広告コンテンツに対応する記憶領域の識別情報とを受信していてもよい。
【０１３８】
端末は、複数の広告コンテンツの配置要件情報と広告コンテンツに対応する記憶領域の識別情報とを予め受信し記憶していてもよい。
【０１３９】
804:ユーザにフィードバックされるデータを取得する。ここで、データは、テキストと、写真と、オーディオと、ビデオとのうちの少なくとも一種類を含む。
【０１４０】
端末は、ユーザにフィードバックされるデータを取得してもよい。ここで、ユーザにフィードバックされるデータは、ユーザがアクセスを要求しているデータであってもよいし、特に、テキストと、写真と、オーディオと、ビデオとのうちの少なくとも一種類であってもよい。
【０１４１】
805:データの属性情報を取得するために、データにディープ・パケット・インスペクションを実行する。ここで、属性情報は、キーワードと、送信元と、宛先と、ユーザのパーソナル情報とのうちの少なくとも1つの項目を含む。
【０１４２】
端末がユーザにフィードバックされるデータを取得した後に、端末は、データの内容を検査してそれによってデータの属性情報を取得するために、データにDPI(Deep packet inspection、ディープ・パケット・インスペクション)を実行してもよい。ここで、属性情報は、キーワードと、送信元と、宛先と、ユーザのパーソナル情報とのうちの少なくとも1つの項目を含んでいてもよい。データのキーワードは、テキスト内容またはデータのタイトル中のキーワードを表す。データの送信元は、データの送信元IPアドレス、またはデータのURLに対応するウェブサイトに対応する領域を表す。データの宛先は、データを要求しているユーザのIPアドレスに対応する領域を表す。属性情報は、データの内容、またはユーザの年齢、性別、職業などのデータを要求しているユーザのIPアドレスを解析することによって取得されるユーザのパーソナル情報の一部をさらに含んでいてもよい。
【０１４３】
806:データの属性情報が、広告コンテンツの配置要件情報にあるマッチングキーワードと、配置エリアと、配置対象情報と、配置時間セグメントとのうちの1つまたは複数の項目を満たしている場合には、広告コンテンツに対応する記憶領域の識別情報に従って広告コンテンツを広告ストレージから取得する。
【０１４４】
端末は、データの属性情報が、ある広告コンテンツの配置要件情報にあるマッチングキーワードと、配置エリアと、配置対象特性と、配置時間セグメントとのうちの1つまたは複数の項目を満たしているかどうかを決定する。決定結果が「はい」である場合には、広告挿入デバイスは、広告コンテンツに対応する記憶領域の識別情報に従って広告コンテンツを広告ストレージから取得する。特に、ユーザにフィードバックされるデータの属性情報が、配置要件情報にあるマッチングキーワードと、配置エリアと、配置対象特性と、配置時間セグメントとのうちの1つまたは複数の項目を満たしていると端末が決定することは、
例えば、ユーザがデータを要求している取得時間が22:31であり、広告の配置時間セグメントが毎日22:00から24:00ある場合には、属性情報にあるデータ取得時間は、配置要件情報にある配置時間セグメントを満たしているといった具合に、ユーザにフィードバックされるデータの属性情報にあるデータ取得時間が配置要件情報にある配置時間セグメントを満たしていると決定することと、
例えば、ユーザによって要求されたデータのキーワードが美、香水、およびアルコールを含み、配置要件情報にあるマッチングキーワードが香水を含んでいる場合には、属性情報にあるキーワードは、配置要件情報にあるマッチングキーワードを満たしているといった具合に、ユーザにフィードバックされるデータの属性情報にあるキーワードが配置要件情報にあるマッチングキーワードを満たしていると決定することと、
例えば、ユーザのIPアドレスに対応する領域が北京であり、配置要件情報にある配置エリアが北京または上海である場合には、属性情報にある宛先は、配置要件情報にある配置エリアを満たしているといった具合に、ユーザにフィードバックされる属性情報にある送信元と宛先とのうちの1つまたは双方が配置要件情報にある配置エリアを満たしていると決定することと、
例えば、ユーザのパーソナル情報が女性26才を含み、配置要件情報にある配置対象情報が女性15才以上である場合には、属性情報にあるユーザのパーソナル情報は、配置要件情報にある配置対象情報を満たしているといった具合に、ユーザにフィードバックされるデータの属性情報にあるユーザのパーソナル情報が配置要件情報にある配置対象情報を満たしていると決定することとのうちの1つまたは複数の状況を含む。
【０１４５】
この場合、端末は、広告コンテンツに対応する記憶領域の識別情報に従って広告コンテンツを広告ストレージから取得する。例えば、本実施形態では、記憶領域の識別情報が広告ストレージにある記憶領域のURLである場合には、端末は、HTTPのGETコマンドを使用することによって、またはFTP様式において、広告ストレージからの広告コンテンツを要求してもよい。記憶領域の識別情報が符号語または文字列のセットである場合には、端末は、まず広告コンテンツ取得要求を広告ストレージに送信してもよい。ここで、広告コンテンツ取得要求は、記憶領域の識別情報を有する。続いて、端末広告ストレージによってフィードバックされた記憶領域のURLを受信して、広告コンテンツを広告ストレージから取得するステップを実行する。
【０１４６】
807:取得した広告コンテンツをデータに挿入する。
【０１４７】
端末は、取得した広告コンテンツをユーザによって要求されたデータに挿入する。特に、ユーザにフィードバックされるデータがウェブページである場合には、端末は、広告コンテンツを冒頭部、末端部、およびウェブページの両サイド部に挿入してもよい。ユーザによって要求されたデータがビデオである場合には、端末は、広告コンテンツをビデオの冒頭、中盤、または最後に挿入してもよいし、ビデオの全表示エリアに覆うまたはビデオの一部表示エリアを覆う挿入様式うちから挿入様式を選択してもよい。
【０１４８】
広告コンテンツを挿入した後に、端末は、以降のクエリおよび統計を容易にするために、現在の広告挿入プロセスの関連データを記録してもよい。
【０１４９】
808:データをユーザにフィードバックする。
【０１５０】
広告コンテンツを挿入した後に、端末は、広告コンテンツが挿入されたデータをユーザにフィードバックする。特に、端末は、広告コンテンツが挿入されたデータをスクリーンの全エリアまたは一部エリアに表示してもよい。
【０１５１】
端末がデータを要求した瞬間からデータが取得された瞬間までの時間を低減するために、806では、記憶領域の識別情報に従って広告コンテンツを広告ストレージから取得することの一部を804の前に実施してもよいことに留意すべきである。この場合、ユーザがデータを要求する前に、端末は、少なくとも1つの広告コンテンツを広告ストレージから取得して広告コンテンツをローカルに記憶して、そしてステップ806では、挿入のためにローカルに記憶された広告のうちの1つを直接選択してもよい。すなわち、806において挿入された広告コンテンツは、記憶領域の識別情報に従って、広告ストレージから予めまたはリアルタイムに要求された広告コンテンツである。本実施形態では、端末が記憶領域の識別情報に従ってリアルタイムに広告ストレージからの広告コンテンツを要求することを、説明のために例として挙げているが、端末は、記憶領域の識別情報に従って予め広告ストレージからの広告コンテンツを要求していてもよい。さらに、記憶領域の識別情報に従って端末によって広告コンテンツを広告ストレージから取得するステップは、広告ポリシー及び課金制御機能によって送信されたプリセットSMSメッセージの受信によってトリガされてもよい。
【０１５２】
つまり、本実施形態によって提供される広告挿入方法では、端末は、ユーザによって要求されたデータが広告コンテンツについての情報であり広告ポリシー及び課金制御機能によって提供された配置要件情報を満たしているかどうかに従って、広告を挿入しており、それによって、広告挿入がインターネットにある1つのサーバに主に依存していて端末がそのサーバからのデータを要求していない場合には広告を挿入できないという従来技術の課題を解決し、端末がインターネットにある任意のサーバにアクセスする際に広告を挿入できるという効果を実現している。その上、端末がインターネットにアクセスしていない場合にでさえ、端末はそれでも、広告ポリシー及び課金制御機能によって送信されたプリセットショート情報を受信して広告コンテンツおよび関連情報を取得するプロセスをトリガすることができ、それによって、端末がインターネットに能動的にアクセスしていないときには端末が広告コンテンツを取得できないという従来技術の課題を解決し、端末がインターネットに当初はアクセスしていない場合にでさえ、端末はそれでも時間内に最新の広告コンテンツおよび関連情報を取得することができるという効果を実現している。
【０１５３】
図9を参照すれば、図9は、さらに別の本発明の実施形態によって提供される広告挿入方法の方法フローチャートを示している。本実施形態を、広告挿入方法が図1に示した端末に適用されている例を用いて記載する。広告挿入方法は、以下のステップを含む。
【０１５４】
901:広告ポリシー及び課金制御機能によって送信されたプリセットショート情報を受信する。
【０１５５】
端末がインターネットにアクセスするためにPGWまたはGGSNを介したPDN接続確立した後に、端末は、広告ポリシー及び課金制御機能によって送信された広告コンテンツの配置要件情報と広告コンテンツに対応する記憶領域の識別情報とを直接受信してもよい。しかしながら、広告挿入デバイスとは異なり、端末は、インターネットに常にアクセスしているわけではない。したがって、端末がインターネットに当初はアクセスしていない場合には、端末は、まず広告ポリシー及び課金制御機能によって送信されたプリセットSMS(Short Messaging Service、ショートメッセージサービス)情報を受信してもよい。プリセットSMSは、広告ポリシー及び課金制御機能と端末とによって予め決定された情報であってもよい。
【０１５６】
902:プリセットショート情報に従ってインターネット接続を確立して、インターネット接続に従って情報取得要求を広告ポリシー及び課金制御機能に開始する。ここで、情報取得要求は、広告コンテンツの配置要件情報と広告コンテンツに対応する記憶領域の識別情報とを取得するために使用される。
【０１５７】
プリセットSMS情報を受信した後に、端末は、インターネット接続を能動的に開始してもよい。特に、端末は、PDPコンテキスト有効化プロセスまたはPDN接続プロセスを介して送受信ベアラを確立してIPアドレスを取得してもよい。その後に、端末は、インターネット接続に従って情報取得要求を広告ポリシー及び課金制御機能に開始してもよい。ここで、情報取得要求は、広告コンテンツの配置要件情報と広告コンテンツに対応する記憶領域の識別情報とを取得するために使用される。「記憶領域の識別情報」は、本明細書では、広告コンテンツが広告ストレージに記憶された際の広告コンテンツの記憶領域を識別するために使用され、特に、広告コンテンツが広告ストレージに記憶された際の広告コンテンツの記憶領域に対応するURLであってもよい。
【０１５８】
901において端末がインターネット接続を既に確立している場合には、プロセスは、903へと直接進んでもよい。
【０１５９】
903:広告ポリシー及び課金制御機能によって送信された広告コンテンツの配置要件情報と広告コンテンツに対応する記憶領域の識別情報とを受信する。
【０１６０】
端末は、広告ポリシー及び課金制御機能によって送信された広告コンテンツの配置要件情報と広告コンテンツに対応する記憶領域の識別情報とを受信していてもよい。
【０１６１】
端末は、複数の広告コンテンツの配置要件情報と広告コンテンツに対応する記憶領域の識別情報とを予め受信し記憶していてもよい。
【０１６２】
904:ユーザ操作によって生成されたトリガイベントを収集する。ここで、トリガイベントは、ボタンの押下と、タッチスクリーンの押下と、音声の発生と、アプリケーションの起動と、端末のアクセスロック解除の失敗とのうちの少なくとも一種類を含む。
【０１６３】
端末は、ユーザのトリガイベントを収集してもよい。ここで、リガイベントは、ボタンの押下と、タッチスクリーンの押下と、音声の発生と、アプリケーションの起動と、端末のアクセスロック解除の失敗とのうちの少なくとも一種類を含む。ボタンの押下は、ユーザが、端末のあるボタンを押すこと、特定の瞬間にあるボタンを押すこと、特定の規則に従って複数のボタンを押すことなどを表す。タッチスクリーンの押下は、ユーザが、クリックすること、ダブルクリックすること、タッチスクリーン上で特定の軌跡を描くまたはジェスチャをすることを表す。アプリケーションの起動は、ユーザが、あるアプリケーションまたは端末で実行中のあるアプリケーションのある機能を起動することを表す。音声の発生は、端末がマイクロフォンを介してユーザの音を収集して、音声がキーワードを含んでいるかどうかを決定するために音を解析することなどを表す。端末のアクセスロック解除の失敗は、スライドトラック、パスワード入力、顔認識、プリセットスクリーンエリアにタッチ要素をドラッグなどによって、ユーザが端末でアクセスロック解除を実行した際に生じるロック解除失敗の行動イベントを表す。
【０１６４】
トリガイベントは、前述のイベントを含むが、限定はされない。また、端末が収集し得る任意のイベントであってもよい。例えば、トリガイベントは、2つの目でスクリーンを見つめることであってもよい。ここで、2つの目でスクリーンを見つめることは、端末がカメラを介してユーザの画像を収集してユーザが現在スクリーンを見ているかどうかを決定するために画像を解析することを表す。
【０１６５】
例えば、特定の適用環境では、端末は、フロントカメラと、タッチスクリーンとを有するスマートフォンである。スマートフォンは、リアルタイムにフロントカメラによって収集された顔画像を認識する必要があり、端末のアクセスロック解除は認識が成功するまで完了しない。スマートフォンがフロントカメラによって収集された顔画像のフレームについての認識を実行した後に、認識が失敗した場合には、スマートフォンは、広告を挿入するために、以降のステップをトリガする。この場合、広告を挿入することができるので、端末のアクセスロック解除の失敗の連続または高頻度のイベントが効果的に低減される。
【０１６６】
別の例としては、特定の適用環境では、端末は、カメラを有してコンテンツを表示できる眼鏡である。眼鏡は、リアルタイムにカメラによって収集された瞳孔画像を認識する必要があり、端末のアクセスロック解除は認識が成功するまで完了しない。眼鏡がリアルタイムにカメラによって収集された瞳孔画像のフレームについての認識を実行した後に、認識が失敗した場合には、眼鏡は、広告を挿入するために、以降のステップをトリガする。
【０１６７】
905:端末によって収集されたトリガイベントが配置要件情報にあるマッチングトリガイベントと同一である場合には、記憶領域の識別情報に従って広告コンテンツを広告ストレージから取得する。
【０１６８】
端末によって収集されたトリガイベントが1つの広告コンテンツの配置要件情報にあるマッチングトリガイベントと同一である場合には、端末は、広告コンテンツに対応する記憶領域の識別情報に従って広告コンテンツを広告ストレージから取得する。また、マッチングトリガイベントは、ボタンの押下と、タッチスクリーンの押下と、音声信号の受信と、アプリケーションの起動と、端末のアクセスロック解除の失敗とのうちの少なくとも一種類を含む。
【０１６９】
906:取得した広告コンテンツをスクリーンの全エリアまたは一部エリアに表示する。
【０１７０】
端末は、取得した広告コンテンツをスクリーンの全エリアまたは一部エリアに表示してもよい。
【０１７１】
広告コンテンツをスクリーンの全エリアまたは一部エリアにより素早く表示するために、905では、端末が記憶領域の識別情報に従って広告コンテンツを広告ストレージから取得することの一部を904の前に実施してもよいことに留意すべきである。この場合、ユーザの行動イベントを収集する前に、端末は、少なくとも1つの広告コンテンツを広告ストレージから取得して広告コンテンツをローカルに記憶して、そして905では、挿入のためにローカルに記憶された広告のうちの1つを直接選択してもよい。すなわち、906において挿入された広告コンテンツは、記憶領域の識別情報に従って、広告ストレージから予めまたはリアルタイムに要求された広告コンテンツである。本実施形態では、端末が記憶領域の識別情報に従ってリアルタイムに広告ストレージからの広告コンテンツを要求することを、説明のために例として挙げているが、端末は、記憶領域の識別情報に従って予め広告ストレージからの広告コンテンツを要求していてもよい。さらに、記憶領域の識別情報に従って端末によって広告コンテンツを広告ストレージから取得するステップは、広告ポリシー及び課金制御機能によって送信されたプリセットSMSメッセージの受信によってトリガされてもよい。
【０１７２】
つまり、本実施形態によって提供される広告挿入方法では、端末は、ユーザ操作によってトリガされたトリガイベントが広告コンテンツについての情報であり広告ポリシー及び課金制御機能によって提供された配置要件情報を満たしているかどうかに従って、広告を挿入しており、それによって、広告挿入がインターネットにある1つのサーバに主に依存していて端末がそのサーバからのデータを要求していない場合には広告を挿入できないという従来技術の課題を解決し、端末がインターネットにアクセスしていないときにも広告を挿入することができるという効果を実現している。その上、端末がインターネットにアクセスしていない場合にでさえ、端末はそれでも、広告ポリシー及び課金制御機能によって送信されたプリセットショート情報を受信して広告コンテンツおよび関連情報を取得するプロセスをトリガすることができ、それによって、端末がインターネットに能動的にアクセスしていないときには端末が広告コンテンツを取得できないという従来技術の課題を解決し、端末がインターネットに当初はアクセスしていない場合にでさえ、端末はそれでも時間内に最新の広告コンテンツおよび関連情報を取得することができるという効果を実現している。
【０１７３】
以下は、本発明の方法の実施形態を実行するために使用され得る本発明の装置の実施形態である。本発明の装置の実施形態に記載されていない技術的詳細については、本発明の方法の実施形態を参照する。
【０１７４】
図10を参照すれば、図10は、本発明の実施形態によって提供される広告ポリシー及び課金制御機能の構造ブロック図を示している。ここで、広告ポリシー及び課金制御機能は、広告識別受信モジュール120と、説明情報受信モジュール140と、割り当て指示送信モジュール160とを備える。
【０１７５】
広告識別受信モジュール120は、広告コンテンツについての情報であり広告提供デバイスによって送信された識別情報を受信するように構成される。
【０１７６】
説明情報受信モジュール140は、広告コンテンツについての情報であり広告提供デバイスによって送信された説明情報を受信するように構成される。ここで、広告コンテンツの説明情報は、少なくとも広告コンテンツのサイズ情報を含む。
【０１７７】
プリセット条件決定モジュール150は、広告コンテンツについての情報であり説明情報受信モジュール140によって受信された説明情報がプリセット条件を満たしていると決定するように構成される。
【０１７８】
割り当て指示送信モジュール160は、広告コンテンツの説明情報がプリセット条件を満たしているとプリセット条件決定モジュール150が決定すると、広告ストレージが、広告コンテンツの識別情報とサイズ情報とに従って対応する記憶領域を広告コンテンツに割り当てることができるように、および広告ストレージが、広告コンテンツの識別情報に従って広告提供デバイスからの広告コンテンツを要求して広告コンテンツを記憶領域に記憶することができるように、広告ストレージに、広告コンテンツについての情報であり広告識別受信モジュール120によって受信された識別情報と、広告コンテンツについての情報であり説明情報受信モジュール140によって受信されたサイズ情報とを有する領域割り当て指示を送信するように構成される、または、広告コンテンツの説明情報がプリセット条件を満たしているとプリセット条件決定モジュール150が決定すると、記憶領域の識別情報に従って広告提供デバイスによって記憶領域にプッシュされた広告コンテンツを受信して、広告コンテンツを記憶するために、広告ストレージが、広告コンテンツの識別情報とサイズ情報とに従って対応する記憶領域を広告コンテンツに割り当て、記憶領域の識別情報を生成して、記憶領域の識別情報を広告提供デバイスに送信することができるように、広告ストレージに、広告コンテンツについての情報であり広告識別受信モジュール120によって受信された識別情報と、広告コンテンツについての情報であり説明情報受信モジュール140によって受信されたサイズ情報とを有する領域割り当て指示を送信するように構成される。
【０１７９】
つまり、本実施形態によって提供される広告ポリシー及び課金制御機能は、広告コンテンツについての情報であり広告提供デバイスによって送信された識別情報と説明情報とを受信して、広告コンテンツの説明情報がプリセット条件を満たしているかどうかに従って、広告を記憶するかどうかをさらに決定しており、それによって、長時間かけて広告を記憶するかどうかを手作業で決定するという従来技術の課題を解決し、手作業に依らず広告を記憶するかどうかを決定できるというという効果を実現している。
【０１８０】
前述の実施形態において提供されている広告ポリシー及び課金制御機能のより詳細な説明については、図11aを参照する。図11aは、別の本発明の実施形態によって提供される広告ポリシー及び課金制御機能の構造ブロック図を示している。前述の実施形態とは異なり、広告ポリシー及び課金制御機能は、広告識別受信モジュール120と、説明情報受信モジュール140と、プリセット条件決定モジュールと、割り当て指示送信モジュール160とを含むだけでなく、取得要求送信モジュール130を含む。
【０１８１】
広告識別受信モジュール120は、広告コンテンツについての情報であり広告提供デバイスによって送信された識別情報を受信するように構成される。
【０１８２】
取得要求送信モジュール130は、広告コンテンツの説明情報を送信するように広告提供デバイスをトリガするために、広告コンテンツについての情報であり広告識別受信モジュール120によって受信された識別情報に従って、説明情報取得要求を広告提供デバイスに送信するように構成される。
【０１８３】
説明情報受信モジュール140は、取得要求送信モジュール130が説明情報取得要求を送信した後に、広告コンテンツについての情報であり広告提供デバイスによって送信された説明情報を受信するように構成される。ここで、広告コンテンツの説明情報は、少なくとも広告コンテンツのサイズ情報を含む。
【０１８４】
プリセット条件決定モジュール150は、広告コンテンツについての情報であり説明情報受信モジュール140によって受信された説明情報がプリセット条件を満たしていると決定するように構成される。
【０１８５】
割り当て指示送信モジュール160は、広告コンテンツの説明情報がプリセット条件を満たしているとプリセット条件決定モジュール150が決定すると、広告ストレージに、広告コンテンツについての情報であり広告識別受信モジュール120によって受信された識別情報と、広告コンテンツについての情報であり説明情報受信モジュール140によって受信されたサイズ情報とを有する領域割り当て指示を送信するように構成される。
【０１８６】
広告コンテンツについての情報であり説明情報受信モジュール140によって受信された説明情報は、少なくとも広告コンテンツのサイズ情報を含み、プリセット条件決定モジュール150は、広告コンテンツのサイズ情報にある値がプリセット閾値未満であると決定するように特に構成される。
【０１８７】
広告コンテンツについての情報であり説明情報受信モジュール140によって受信された説明情報は、広告コンテンツのサイズ情報を含むだけでなく、広告コンテンツのタイプ情報と、解像度情報と、符号化情報と、言語タイプと、配置要件情報とのうちの1つまたは複数の項目も含み、広告コンテンツの説明情報がプリセット条件を満たしているとプリセット条件決定モジュール150が決定するように特に構成されることは、
広告コンテンツのタイプ情報にあるタイプがプリセットタイプを満たしていると決定することであって、プリセットタイプは、テキストと、画像と、オーディオと、ビデオとのうちの一種類または複数種類を含む、ことと、
広告コンテンツの解像度情報にある解像度がプリセット解像度以下であると決定することと、
広告コンテンツの符号化情報にある符号化規則がプリセット符号化規則を満たしていると決定することと、
広告コンテンツの言語情報にある言語がプリセット言語を満たしていると決定することと、
広告コンテンツの配置要件情報にある配置要件がプリセット配置要件を満たしていると決定することとのうちの1つまたは複数の状況を含む。
【０１８８】
より好ましくは、広告挿入プロセスの実行を容易にするために、図11bを参照すれば、広告ポリシー及び課金制御機能は、領域識別受信モジュール172と、領域識別記憶モジュール174と、領域識別転送モジュール176とをさらに備える。
【０１８９】
領域識別受信モジュール172は、広告ストレージによってフィードバックされた記憶領域の識別情報を受信するように構成される。
【０１９０】
領域識別記憶モジュール174は、領域識別受信モジュール172によって受信された記憶領域の識別情報を記憶して、記憶領域の識別情報を対応する広告コンテンツの識別情報と説明情報とに関連付けるように構成される。
【０１９１】
領域識別転送モジュール176は、広告提供デバイスが、記憶領域の識別情報に従って広告コンテンツを記憶領域にプッシュすることができるように、領域識別受信モジュール174によって受信された記憶領域の識別情報を広告提供デバイスに転送するように構成される。
【０１９２】
広告ストレージが広告コンテンツの識別情報に従って広告提供デバイスからの広告コンテンツを能動的に要求する場合には、広告ポリシー及び課金制御機能は、領域識別受信モジュール172と、領域識別記憶モジュール174とだけを備えていてもよいし、広告ストレージが、記憶領域の識別情報に従って広告提供デバイスによって記憶領域にプッシュされた広告コンテンツを受信するために、記憶領域の識別情報を生成して記憶領域の識別情報を広告提供デバイスに送信する場合には、広告ポリシー及び課金制御機能は、領域識別受信モジュール172と、領域識別記憶モジュール174と、領域識別転送モジュール176とを備えていてもよいことに留意すべきである。
【０１９３】
図11bを参照すれば、広告コンテンツについての情報であり説明情報受信モジュール140によって受信された説明情報は、広告コンテンツの配置要件情報を備え、広告ポリシー及び課金制御機能は、広告情報送信モジュール180をさらに備える。広告情報送信モジュール180は、広告挿入デバイスまたは端末に、広告コンテンツについての情報であり説明情報受信モジュール140によって受信された配置要件情報と、広告コンテンツに対応する記憶領域についての情報であり領域識別受信モジュール172によって受信された識別情報とを送信するように構成される。
【０１９４】
広告情報送信モジュール180が、端末に、広告コンテンツの配置要件情報と広告コンテンツに対応する記憶領域の識別情報とを送信するように構成される場合には、端末がインターネットに常にアクセスしているわけではないので、図11cを参照すれば、広告ポリシー及び課金制御機能は、プリセットショート情報送信モジュール192と、情報要求受信モジュール194とをさらに備えていてもよい。
【０１９５】
プリセットショート情報送信モジュール192は、プリセットショート情報を受信した後に端末がインターネット接続を確立することができるように、プリセットショート情報を端末に送信するように構成される。
【０１９６】
情報要求受信モジュール194は、プリセットショート情報送信モジュール192がプリセットショート情報を送信した後に、端末によるインターネット接続を用いて送信された情報取得要求を受信するように構成される。ここで、情報取得要求は、広告コンテンツの配置要件情報および/または広告コンテンツに対応する記憶領域の識別情報を要求するために使用される。
【０１９７】
つまり、本実施形態によって提供される広告ポリシー及び課金制御機能は、広告コンテンツについての情報であり広告提供デバイスによって送信された識別情報と説明情報とを受信して、広告コンテンツの説明情報がプリセット条件を満たしているかどうかに従って、広告を記憶するかどうかをさらに決定しており、それによって、長時間かけて広告を記憶するかどうかを手作業で決定するという従来技術の課題を解決し、手作業に依らず広告を記憶するかどうかを決定できるというという効果を実現している。さらに、広告ポリシー及び課金制御機能は、広告コンテンツの関連情報を広告ポリシー及び課金制御機能から能動的に取得するために、プリセットショート情報を端末に送信してインターネット接続を確立するように端末をトリガしており、それによって、端末がインターネットに能動的にアクセスしていないときには端末が広告コンテンツを取得できないという従来技術の課題を解決し、端末がインターネットに当初はアクセスしていない場合にでさえ、端末はそれでも時間内に最新の広告コンテンツおよび関連情報を取得することができるという効果を実現している。
【０１９８】
図12を参照すれば、図12は、本発明の実施形態によって提供される広告ストレージの構造ブロック図を示している。広告ストレージは、割り当て指示受信モジュール220と、記憶領域割り当てモジュール240と、能動的広告取得モジュール260と、受動的広告取得モジュール280とのうちのいずれか1つとを備える。
【０１９９】
割り当て指示受信モジュール220は、広告コンテンツの識別情報とサイズ情報とを有する領域割り当て指示を受信するように構成される。ここで、領域割り当て指示は、広告コンテンツの説明情報に含まれている情報がプリセット条件を満たしているときには、広告ポリシー及び課金制御機能によって送信され、広告コンテンツの説明情報は、少なくとも広告コンテンツのサイズ情報を含む。
【０２００】
記憶領域割り当てモジュール240は、広告コンテンツについての情報であり割り当て指示受信モジュール220によって受信された識別情報とサイズ情報とに従って対応する記憶領域を広告コンテンツに割り当てるように構成される。
【０２０１】
能動的広告取得モジュール260は、広告コンテンツについての情報であり割り当て指示モジュール220によって受信された識別情報に従って広告提供デバイスからの広告コンテンツを要求して、広告コンテンツを受信して広告コンテンツを記憶領域に記憶するように構成される。
【０２０２】
受動的広告取得モジュール280は、広告提供デバイスが、記憶領域の識別情報に従って広告コンテンツを記憶領域にプッシュすることができるように、割り当て指示受信モジュール220によって割り当てられた記憶領域の識別情報を生成して、記憶領域の識別情報を広告提供デバイスに提供するように構成され、広告コンテンツを受信して記憶するように構成される。
【０２０３】
つまり、本実施形態によって提供される広告ストレージは、広告コンテンツの識別情報に従って広告提供デバイスからの広告コンテンツを自動的に要求しており、または広告提供デバイスによってプッシュされた広告コンテンツを自動的に受信しており、それによって、広告コンテンツが電子メールまたはインスタントメッセージプログラムなどの通信ツールを主に使用することによってストレージに提供されているために広告を記憶するのに長時間かかるという従来技術の欠点、および記憶処理が主に手作業で完遂されているために広告の記憶処理が効率面で低いという従来技術の欠点を解決し、広告ストレージが広告記憶プロセスを自動的に完遂できるという効果を実現している。
【０２０４】
前述の実施形態によって提供される広告ストレージのより詳細な説明については、図13aを参照する。図13aは、別の本発明の実施形態によって提供される広告ストレージの構造ブロック図を示している。広告ストレージは、割り当て指示受信モジュール220と、記憶領域割り当てモジュール240と、能動的広告取得モジュール260と、領域識別送信モジュール270とを備える。
【０２０５】
割り当て指示受信モジュール220は、広告コンテンツについての識別情報とサイズ情報とを有する領域割り当て指示を受信するように構成される。ここで、領域割り当て指示は、広告コンテンツの説明情報に含まれている情報がプリセット条件を満たしているときには、広告ポリシー及び課金制御機能によって送信され、広告コンテンツの説明情報は、少なくとも広告コンテンツのサイズ情報を含む。
【０２０６】
記憶領域割り当てモジュール240は、広告コンテンツについての情報であり割り当て指示受信モジュール220によって受信された識別情報とサイズ情報とに従って対応する記憶領域を広告コンテンツに割り当てるように構成される。
【０２０７】
能動的広告取得モジュール260は、広告コンテンツについての情報であり割り当て指示受信モジュール220によって受信された識別情報に従って広告提供デバイスからの広告コンテンツを要求して、広告コンテンツを受信して広告コンテンツを記憶領域に記憶するように構成される。
【０２０８】
領域識別送信モジュール270は、広告ポリシー及び課金制御機能が、記憶領域の識別情報を記憶して、記憶領域の識別情報を対応する広告コンテンツについての識別情報と説明情報とに割り当てることができるように、記憶領域割り当てモジュール240によって割り当てられた記憶領域の識別情報生成して、記憶領域の識別情報を広告ポリシー及び課金制御機能に送信するように構成される。
【０２０９】
広告挿入プロセスの実行を容易にするために、図13bを参照すれば、広告ストレージは、識別情報受信モジュール292と、広告コンテンツ送信モジュール294とをさらに含んでいてもよい。
【０２１０】
識別情報受信モジュール292は、広告挿入デバイスまたは端末によって送信された記憶領域の識別情報を受信するように構成される。
【０２１１】
広告コンテンツ送信モジュール294は、広告挿入デバイスまたは端末に、識別情報受信モジュール292によって受信された識別情報に対応する記憶領域に記憶された広告コンテンツを送信するように構成される。広告コンテンツは、能動的広告取得モジュール260によって取得された広告コンテンツである。
【０２１２】
つまり、本実施形態によって提供される広告ストレージは、広告コンテンツの識別情報に従って広告提供デバイスからの広告コンテンツを要求しており、それによって、広告コンテンツが電子メールまたはインスタントメッセージプログラムなどの通信ツールを主に使用することによってストレージに提供されているために広告を記憶するのに長時間かかるという従来技術の欠点、および記憶処理が主に手作業で完遂されているために広告の記憶処理が効率面で低いという従来技術の欠点を解決し、広告ストレージが広告記憶プロセスを自動的に完遂できるという効果を実現している。広告取得モジュールは、広告提供デバイスからの広告コンテンツを能動的に要求しており、したがって、大量の広告コンテンツが記憶されているときには、広告ストレージは、その負荷に応じて、広告コンテンツを能動的に要求する時期を選択してもよい。このことは、ピーク時の広告ストレージの処理負荷を低減することに役立つ。
【０２１３】
図12に対応する実施形態によって提供される広告ストレージのより詳細な説明については、図14aを参照する。図14aは、別の本発明の実施形態によって提供される広告ストレージの構造ブロック図を示している。広告ストレージは、割り当て指示受信モジュール220と、記憶領域割り当てモジュール240と、受動的広告取得モジュール280とを備える。
【０２１４】
割り当て指示受信モジュール220は、広告コンテンツについての識別情報とサイズ情報とを有する領域割り当て指示を受信するように構成される。ここで、領域割り当て指示は、広告コンテンツの説明情報に含まれている情報がプリセット条件を満たしているときには、広告ポリシー及び課金制御機能によって送信され、広告コンテンツの説明情報は、少なくとも広告コンテンツのサイズ情報を含む。
【０２１５】
記憶領域割り当てモジュール240は、広告コンテンツについての情報であり割り当て指示受信モジュール220によって受信された識別情報とサイズ情報とに従って対応する記憶領域を広告コンテンツに割り当てるように構成される。
【０２１６】
受動的広告取得モジュール280は、広告提供デバイスが、記憶領域の識別情報に従って広告コンテンツを記憶領域にプッシュすることができるように、記憶領域割り当てモジュール240によって割り当てられた記憶領域の識別情報を生成して、記憶領域の識別情報を広告提供デバイスに提供するように構成され、広告コンテンツを受信して記憶するように構成される。
【０２１７】
特に、受動的広告取得モジュール280は、
広告提供デバイスが、記憶領域の識別情報に従って広告コンテンツを記憶領域にプッシュすることができるように、広告ポリシー及び課金制御機能が、記憶領域の識別情報を記憶して、記憶領域の識別情報を広告コンテンツについての識別情報と説明情報とに割り当て、記憶領域の識別情報を広告提供デバイスに転送することができるように、記憶領域割り当てモジュール240によって割り当てられた記憶領域の識別情報を生成して、記憶領域の識別情報を広告ポリシー及び課金制御機能に送信するように構成される、領域識別送信ユニット282をさらに含む。
【０２１８】
広告挿入プロセスの実行を容易にするために、図14bを参照すれば、広告ストレージは、識別情報受信モジュール292と、広告コンテンツ送信モジュール294とをさらに備えていてもよい。
【０２１９】
識別情報受信モジュール292は、広告挿入デバイスまたは端末によって送信された記憶領域の識別情報を受信するように構成される。
【０２２０】
広告コンテンツ送信モジュール292は、広告挿入デバイスまたは端末に、識別情報受信モジュール292によって受信された識別情報に対応する記憶領域に記憶された広告コンテンツを送信するように構成される。広告コンテンツは、受動的広告取得モジュール280によって取得された広告コンテンツである。
【０２２１】
つまり、前述の実施形態と比較して、広告提供デバイスは、広告コンテンツの記憶プロセス中にシグナリングおよび手続きの一部を広告ストレージに代わって広告提供デバイスによって処理することができるように、広告コンテンツを広告ストレージにプッシュしており、それによって、シグナリングを省き、広告ストレージの処理負荷を低減している。
【０２２２】
図15を参照すれば、図15は、本発明の実施形態によって提供される広告挿入デバイスの構造ブロック図を示している。広告挿入デバイスは、それを介して端末がインターネットにアクセスするネットワーク要素デバイスで使用される。広告挿入デバイスは、配置要件受信モジュール320と、属性情報決定モジュール336と、データマッチング挿入モジュール340とを備える。
【０２２３】
配置要件受信モジュール320は、広告ポリシー及び課金制御機能によって送信された広告コンテンツの配置要件情報と広告コンテンツに対応する記憶領域の識別情報とを受信するように構成される。ここで、配置要件情報は、マッチングキーワードと、配置エリアと、配置対象情報と、配置時間セグメントとのうちの1つまたは複数の項目を含む。
【０２２４】
属性情報決定モジュール336は、ユーザにフィードバックされるデータの属性情報が、配置要件受信モジュール320によって受信された配置要件情報にあるマッチングキーワードと、配置エリアと、配置対象情報と、配置時間セグメントとのうちの1つまたは複数の項目を満たしていると決定するように構成される。
【０２２５】
データマッチング挿入モジュール340は、ユーザにフィードバックされるデータの属性情報が、配置要件情報にあるマッチングキーワードと、配置エリアと、配置対象情報と、配置時間セグメントとのうちの1つまたは複数の項目を満たしていると属性情報決定モジュール336が決定した後に、広告コンテンツをデータに挿入するように構成される。ここで、広告コンテンツは、配置要件受信モジュールによって受信された記憶領域の識別情報に従って広告ストレージから予めまたはリアルタイムに要求された広告コンテンツである。
【０２２６】
属性情報決定モジュール336によって決定された属性情報は、データ取得時間と、キーワードと、送信元と、宛先と、ユーザのパーソナル情報とのうちの1つまたは複数の項目を含む。
【０２２７】
属性情報決定モジュール336がユーザにフィードバックされるデータの属性情報を決定するように構成されることは、
属性情報にあるデータ取得時間が配置要件情報にある配置時間セグメントを満たしていると決定することと、
属性情報にあるキーワードが配置要件情報にあるマッチングキーワードを満たしていると決定することと、
属性情報にある送信元と宛先とのうちの1つまたは双方が配置要件情報にある配置エリアを満たしていると決定することと、
属性情報にあるユーザのパーソナル情報が配置要件情報にある配置対象情報を満たしていると決定することとのうちの1つまたは複数の状況を特に含む。
【０２２８】
つまり、本実施形態によって提供される広告挿入デバイスは、ユーザによって要求されたデータが広告ポリシー及び課金制御機能によって提供される広告コンテンツの配置要件情報を満たしているかどうかに従って、広告を挿入しており、それによって、広告挿入がインターネットにある1つのサーバに主に依存していて端末がそのサーバからのデータを要求していない場合には広告を挿入できないという従来技術の課題を解決し、端末がインターネットにある任意のサーバにアクセスする際に広告挿入デバイスが広告を挿入することができるという効果を実現している。
【０２２９】
前述の実施形態によって提供される広告挿入デバイスのより詳細な説明については、図16を参照する。図16は、別の本発明の実施形態によって提供される広告挿入デバイスの構造ブロック図を示している。広告挿入デバイスは、それを介して端末がインターネットにアクセスするネットワーク要素デバイスで使用される。広告挿入デバイスは、配置要件受信モジュール320と、データ取得モジュール332と、データ分析モジュール334と、属性情報決定モジュール336と、データマッチング挿入モジュール340とを備える。
【０２３０】
配置要件受信モジュール320は、広告ポリシー及び課金制御機能によって送信された広告コンテンツの配置要件情報と広告コンテンツに対応する記憶領域の識別情報とを受信するように構成される。ここで、配置要件情報は、マッチングキーワードと、配置エリアと、配置対象情報と、配置時間セグメントとのうちの1つまたは複数の項目を含む。
【０２３１】
データ取得モジュール332は、ユーザにフィードバックされるデータを取得するように構成される。ここで、データは、テキストと、写真と、オーディオと、ビデオとのうちの少なくとも一種類を含む。
【０２３２】
データ分析モジュール334は、データの属性情報を取得するために、データ取得モジュール332によって取得されたデータにディープ・パケット・インスペクションを実行するように構成される。
【０２３３】
属性情報決定モジュール336は、ユーザにフィードバックされるデータの属性情報が、配置要件情報にあるマッチングキーワードと、配置エリアと、配置対象情報と、配置時間セグメントとのうちの1つまたは複数の項目を満たしていると決定するように構成される。
【０２３４】
データマッチング挿入モジュール340は、ユーザにフィードバックされるデータの属性情報が、配置要件情報にあるマッチングキーワードと、配置エリアと、配置対象情報と、配置時間セグメントとのうちの1つまたは複数の項目を満たしていると属性情報決定モジュール336が決定した後に、広告コンテンツをデータに挿入するように構成される。ここで、広告コンテンツは、配置要件受信モジュール320によって受信された記憶領域の識別情報に従って、広告ストレージから予めまたはリアルタイムに要求された広告コンテンツである。
【０２３５】
データ分析モジュール334によって分析された属性情報は、データ取得時間と、キーワードと、送信元と、宛先と、ユーザのパーソナル情報とのうちの1つまたは複数の項目を含む。
【０２３６】
属性情報決定モジュール336がユーザにフィードバックされるデータの属性情報を決定するように構成されることは、
属性情報にあるデータ取得時間が配置要件情報にある配置時間セグメントを満たしていると決定することと、
属性情報にあるキーワードが配置要件情報にあるマッチングキーワードを満たしていると決定することと、
属性情報にある送信元と宛先とのうちの1つまたは双方が配置要件情報にある配置エリアを満たしていると決定することと、
属性情報にあるユーザのパーソナル情報が配置要件情報にある配置対象情報を満たしていると決定することとのうちの1つまたは複数の状況を特に含む。
【０２３７】
つまり、本実施形態によって提供される広告挿入デバイスは、ユーザによって要求されたデータが広告ポリシー及び課金制御機能によって提供される広告コンテンツの配置要件情報を満たしているかどうかに従って、広告を挿入しており、それによって、広告挿入がインターネットにある1つのサーバに主に依存していて端末がそのサーバからのデータを要求していない場合には広告を挿入できないという従来技術の課題を解決し、端末がインターネットにある任意のサーバにアクセスする際に広告挿入デバイスが広告を挿入することができるという効果を実現している。
【０２３８】
図17を参照すれば、図17は、本発明の実施形態によって提供される端末の構造ブロック図を示している。端末は、配置要件受信モジュール420と、属性情報決定モジュール436と、データマッチング挿入モジュール440とを含む。
【０２３９】
配置要件受信モジュール420は、広告ポリシー及び課金制御機能によって送信された広告コンテンツの配置要件情報と広告コンテンツに対応する記憶領域の識別情報とを受信するように構成される。ここで、配置要件情報は、マッチングキーワードと、配置エリアと、配置対象情報と、配置時間セグメントとのうちの1つまたは複数の項目を含む。
【０２４０】
属性情報決定モジュール436は、ユーザにフィードバックされるデータの属性情報が、配置要件受信モジュール420によって受信された配置要件情報にあるマッチングキーワードと、配置エリアと、配置対象情報と、配置時間セグメントとのうちの1つまたは複数の項目を満たしていると決定するように構成される。
【０２４１】
データマッチング挿入モジュール440は、ユーザにフィードバックされるデータの属性情報が、配置要件情報にあるマッチングキーワードと、配置エリアと、配置対象情報と、配置時間セグメントとのうちの1つまたは複数の項目を満たしていると属性情報決定モジュール436が決定した後に、広告コンテンツをデータに挿入するように構成される。ここで、広告コンテンツは、記憶領域の識別情報に従って広告ストレージから予めまたはリアルタイムに要求された広告コンテンツである。
【０２４２】
属性情報決定モジュール436によって決定された属性情報は、データ取得時間と、キーワードと、送信元と、宛先と、ユーザのパーソナル情報とのうちの1つまたは複数の項目を含む。
【０２４３】
属性情報決定モジュール436がユーザにフィードバックされるデータの属性情報を決定するように構成されることは、
属性情報にあるデータ取得時間が配置要件情報にある配置時間セグメントを満たしていると決定することと、
属性情報にあるキーワードが配置要件情報にあるマッチングキーワードを満たしていると決定することと、
属性情報にある送信元と宛先とのうちの1つまたは双方が配置要件情報にある配置エリアを満たしていると決定することと、
属性情報にあるユーザのパーソナル情報が配置要件情報にある配置対象情報を満たしていると決定することとのうちの1つまたは複数の状況を含む。
【０２４４】
つまり、本実施形態によって提供される端末は、ユーザによって要求されたデータが広告コンテンツについての情報であり広告ポリシー及び課金制御機能によって提供された配置要件情報を満たしているかどうかに従って、広告を挿入しており、それによって、広告挿入がインターネットにある1つのサーバに主に依存していて端末がそのサーバからのデータを要求していない場合には広告を挿入できないという従来技術の課題を解決し、端末がインターネットにある任意のサーバにアクセスする際に広告を挿入できるという効果を実現している。
【０２４５】
前述の実施形態によって提供される端末のより詳細な説明については、図18aを参照する。図18aは、別の本発明の実施形態によって提供される端末の構造ブロック図を示している。端末は、配置要件受信モジュール420と、データ取得モジュール432と、属性情報決定モジュール436と、データ分析モジュール434と、データマッチング挿入モジュール440とを備える。
【０２４６】
配置要件受信モジュール420は、広告ポリシー及び課金制御機能によって送信された広告コンテンツの配置要件情報と広告コンテンツに対応する記憶領域の識別情報とを受信するように構成される。ここで、配置要件情報は、マッチングキーワードと、配置エリアと、配置対象情報と、配置時間セグメントとのうちの1つまたは複数の項目を含む。
【０２４７】
データ取得モジュール432は、ユーザにフィードバックされるデータを取得するように構成される。ここで、データは、テキストと、写真と、オーディオと、ビデオとのうちの少なくとも一種類を含む。
【０２４８】
データ分析モジュール434は、データの属性情報を取得するために、データ取得モジュール432によって取得されたデータにディープ・パケット・インスペクションを実行するように構成される。
【０２４９】
属性情報決定モジュール436は、ユーザにフィードバックされるデータの属性情報が、配置要件受信モジュール420によって受信された配置要件情報にあるマッチングキーワードと、配置エリアと、配置対象情報と、配置時間セグメントとのうちの1つまたは複数の項目を満たしていると決定するように構成される。
【０２５０】
データマッチング挿入モジュール440は、ユーザにフィードバックされるデータの属性情報が、配置要件情報にあるマッチングキーワードと、配置エリアと、配置対象情報と、配置時間セグメントとのうちの1つまたは複数の項目を満たしていると属性情報決定モジュール436が決定した後に、広告コンテンツをデータに挿入するように構成される。ここで、広告コンテンツは、記憶領域の識別情報に従って広告ストレージから予めまたはリアルタイムに要求された広告コンテンツである。
【０２５１】
データ分析モジュール434によって分析された属性情報は、データ取得時間と、キーワードと、送信元と、宛先と、ユーザのパーソナル情報とのうちの1つまたは複数の項目を含む。
【０２５２】
属性情報決定モジュール436がユーザにフィードバックされるデータの属性情報を決定するように構成されることは、
属性情報にあるデータ取得時間が配置要件情報にある配置時間セグメントを満たしていると決定することと、
属性情報にあるキーワードが配置要件情報にあるマッチングキーワードを満たしていると決定することと、
属性情報にある送信元と宛先とのうちの1つまたは双方が配置要件情報にある配置エリアを満たしていると決定することと、
属性情報にあるユーザのパーソナル情報が配置要件情報にある配置対象情報を満たしていると決定することとのうちの1つまたは複数の状況を特に含む。
【０２５３】
端末がインターネットに常にアクセスしているわけではないので、図18bを参照すれば、端末は、ショート情報受信モジュール412と、接続確立モジュール414とをさらに備えていてもよい。
【０２５４】
ショート情報受信モジュール412は、広告ポリシー及び課金制御機能によって送信されたプリセットショート情報を受信するように構成される。
【０２５５】
接続確立モジュール414は、インターネット接続に従って、広告コンテンツの配置要件情報、広告コンテンツに対応する記憶領域の識別情報、および/または広告コンテンツを取得するために、ショート情報受信モジュール412によって受信されたプリセットショート情報に従って、インターネット接続を確立するように構成される。
【０２５６】
この場合、配置要件受信モジュール420は、接続確立モジュール414によって確立されたインターネット接続に従って、広告ポリシー及び課金制御機能によって送信された広告コンテンツの配置要件情報と広告コンテンツに対応する記憶領域の識別情報とを受信するように特に構成される。ここで、配置要件情報は、マッチングキーワードと、配置エリアと、配置対象情報と、配置時間セグメントとのうちの1つまたは複数の項目を含む。
【０２５７】
つまり、本実施形態によって提供される端末は、ユーザによって要求されたデータが広告コンテンツについての情報であり広告ポリシー及び課金制御機能によって提供された配置要件情報を満たしているかどうかに従って、広告を挿入しており、それによって、広告挿入がインターネットにある1つのサーバに主に依存していて端末がそのサーバからのデータを要求していない場合には広告を挿入できないという従来技術の課題を解決し、端末がインターネットにある任意のサーバにアクセスする際に広告を挿入できるという効果を実現している。さらに、広告コンテンツの関連情報を広告ポリシー及び課金制御機能から能動的に取得するために、プリセットショート情報を受信してインターネット接続の確立をトリガしており、それによって、端末がインターネットに能動的にアクセスしていないときには端末が広告コンテンツを取得できないという従来技術の課題を解決し、端末がインターネットに当初はアクセスしていない場合にでさえ、端末はそれでも時間内に最新の広告コンテンツおよび関連情報を取得することができるという効果を実現している。
【０２５８】
図19を参照すれば、図19は、本発明の実施形態によって提供される端末の構造ブロック図を示している。端末は、配置要件受信モジュール420と、トリガイベント決定モジュール456と、行動マッチング挿入モジュール460とを備える。
【０２５９】
配置要件受信モジュール420は、広告ポリシー及び課金制御機能によって送信された広告コンテンツの配置要件情報と広告コンテンツに対応する記憶領域の識別情報とを受信するように構成される。ここで、配置要件情報は、マッチングトリガイベントを含む。
【０２６０】
トリガイベント決定モジュール456は、端末によって収集されたトリガイベントが、配置要件受信モジュール420によって受信された配置要件情報にあるマッチングトリガイベントと同一であると決定するように構成される。
【０２６１】
行動マッチング挿入モジュール460は、端末によって収集されたトリガイベントが配置要件情報にあるマッチングトリガイベントと同一であるとトリガイベント決定モジュール456が決定した後に、広告コンテンツを端末のスクリーンに再生するように構成される。ここで、広告コンテンツは、配置要件受信モジュール420によって受信された記憶領域の識別情報に従って、広告ストレージから予めまたはリアルタイムに要求された広告コンテンツである。
【０２６２】
つまり、本実施形態によって提供される端末は、ユーザ操作によってトリガされたトリガイベントが広告コンテンツについての情報であり広告ポリシー及び課金制御機能によって提供された配置要件情報を満たしているかどうかに従って、広告を挿入しており、それによって、広告挿入がインターネットにある1つのサーバに主に依存していて端末がそのサーバからのデータを要求していない場合には広告を挿入できないという従来技術の課題を解決し、端末がインターネットにアクセスしていないときでさえ広告を挿入することができるという効果を実現している。
【０２６３】
前述の実施形態によって提供される端末のより詳細な説明については、図20aを参照する。図20aは、別の本発明の実施形態によって提供される端末の構造ブロック図を示している。端末は、配置要件受信モジュール420と、トリガイベント収集モジュール450と、トリガイベント決定モジュール456と、行動マッチング挿入モジュール460とを備える。
【０２６４】
配置要件受信モジュール420は、広告ポリシー及び課金制御機能によって送信された広告コンテンツの配置要件情報と広告コンテンツに対応する記憶領域の識別情報とを受信するように構成される。ここで、配置要件情報は、マッチングトリガイベントを含む。
【０２６５】
トリガイベント収集モジュール450は、ユーザ操作によって生成されたトリガイベントを収集するように構成される。トリガイベントは、ボタンの押下と、タッチスクリーンの押下と、音声信号の受信と、アプリケーションの起動と、端末のアクセスロック解除の失敗とのうちの少なくとも一種類を含む。
【０２６６】
トリガイベント決定モジュール456は、端末によって収集されたトリガイベントが、配置要件受信モジュール420によって受信された配置要件情報にあるマッチングトリガイベントと同一であると決定するように構成される。
【０２６７】
行動マッチング挿入モジュール460は、端末によって収集されたトリガイベントが配置要件受信モジュール420によって受信された配置要件情報にあるマッチングトリガイベントと同一であるとトリガイベント決定モジュール456が決定した後に、広告コンテンツを端末のスクリーンに再生するように構成される。ここで、広告コンテンツは、配置要件受信モジュール420によって受信された記憶領域の識別情報に従って、広告ストレージから予めまたはリアルタイムに要求された広告コンテンツである。
【０２６８】
行動マッチング挿入モジュール460は、端末によって収集されたトリガイベントが配置要件情報にあるマッチングトリガイベントと同一であるとトリガイベント決定モジュール456が決定すると、元の表示コンテンツ上にオーバーラップまたは覆うようにして広告コンテンツを端末のスクリーンの全エリアまたは一部エリアに再生するようにさらに特に構成される。
【０２６９】
端末がインターネットに常にアクセスしているわけではないので、図20bを参照すれば、端末は、ショート情報受信モジュール412と、接続確立モジュール414とをさらに備えていてもよい。
【０２７０】
ショート情報受信モジュール412は、広告ポリシー及び課金制御機能によって送信されたプリセットショート情報を受信するように構成される。
【０２７１】
接続確立モジュール414は、インターネット接続に従って、広告コンテンツの配置要件情報、広告コンテンツに対応する記憶領域の識別情報、および/または広告コンテンツを取得するために、ショート情報受信モジュール414によって受信されたプリセットショート情報に従って、インターネット接続を確立するように構成される。
【０２７２】
この場合、配置要件受信モジュール420は、接続確立モジュール414によって確立されたインターネット接続に従って、広告ポリシー及び課金制御機能によって送信された広告コンテンツの配置要件情報と広告コンテンツに対応する記憶領域の識別情報とを受信するように特に構成される。ここで、配置要件情報は、マッチングトリガイベントを含む。
【０２７３】
つまり、本実施形態によって提供される端末は、ユーザ操作によってトリガされたトリガイベントが広告コンテンツについての情報であり広告ポリシー及び課金制御機能によって提供された配置要件情報を満たしているかどうかに従って、広告を挿入しており、それによって、広告挿入がインターネットにある1つのサーバに主に依存していて端末がそのサーバからのデータを要求していない場合には広告を挿入できないという従来技術の課題を解決し、端末がインターネットにアクセスしていないときでさえ広告を挿入することができるという効果を実現している。さらに、広告コンテンツの関連情報を広告ポリシー及び課金制御機能から能動的に取得するために、プリセットショート情報を受信してインターネット接続の確立をトリガしており、それによって、端末がインターネットに能動的にアクセスしていないときには端末が広告コンテンツを取得できないという従来技術の課題を解決し、端末がインターネットに当初はアクセスしていない場合にでさえ、端末はそれでも時間内に最新の広告コンテンツおよび関連情報を取得することができるという効果を実現している。
【０２７４】
図17に対応する実施形態によって提供される端末を、新たな実施形態を形成するために、図19または図20に対応する実施形態によって提供される端末と組み合わせてもよいし、図18に対応する実施形態によって提供される端末を、新たな実施形態を形成するために、図19または図20に対応する実施形態によって提供される端末と組み合わせてもよいことに留意すべきである。
【０２７５】
図21を参照すれば、図21は、本発明の実施形態によって提供される広告ストレージシステムの構造ブロック図を示している。広告ストレージシステムは、広告ポリシー及び課金制御機能520と、広告ストレージ540とを備える。
【０２７６】
広告ポリシー及び課金制御機能520は、図10に対応する実施形態によって提供される広告ポリシー及び課金制御機能であってもよい。
【０２７７】
広告ストレージ540は、図12に対応する実施形態によって提供される広告ストレージであってもよい。
【０２７８】
つまり、本実施形態によって提供される広告ストレージシステムでは、広告ポリシー及び課金制御機能は、広告コンテンツについての情報であり広告提供デバイスによって送信された識別情報と説明情報とを受信して、広告コンテンツの説明情報がプリセット条件を満たしているかどうかに従って、広告を記憶するかどうかをさらに決定しており、それによって、長時間かけて広告を記憶するかどうかを手作業で決定するという従来技術の課題を解決し、手作業に依らず広告を記憶するかどうかを決定できるというという効果を実現している。広告ストレージは、広告コンテンツの識別情報に従って広告提供デバイスからの広告コンテンツを自動的に要求しており、または広告ストレージは、広告提供デバイスによってプッシュされた広告コンテンツを自動的に受信しており、それによって、広告コンテンツが電子メールまたはインスタントメッセージプログラムなどの通信ツールを主に使用することによってストレージに提供されているために広告を記憶するのに長時間かかるという従来技術の欠点、および記憶処理が主に手作業で完遂されているために広告の記憶処理が効率面で低いという従来技術の欠点を解決し、広告ストレージが広告記憶プロセスを自動的に完遂できるという効果を実現している。
【０２７９】
図22を参照すれば、図22は、本発明の実施形態によって提供される広告挿入システムの構造ブロック図を示している。広告挿入システムは、広告ポリシー及び課金制御機能620と、広告ストレージ640と、広告挿入デバイス660とを備える。
【０２８０】
広告ポリシー及び課金制御機能620は、図11に対応する実施形態によって提供される広告ポリシー及び課金制御機能であってもよい。
【０２８１】
広告ストレージ640は、図13または図14に対応する実施形態によって提供される広告ストレージであってもよい。
【０２８２】
広告挿入デバイス660は、図15または図16において提供されている広告挿入デバイスであってもよい。
【０２８３】
つまり、本実施形態によって提供される広告挿入システムでは、広告を自動的に受信し、記憶し、挿入するプロセスを、広告ポリシー及び課金制御機能と、広告ストレージと、広告挿入デバイスとを備える広告挿入システムによって、サービスプロバイダによる如何なる手動介入も必要とせずに実現することができる。広告記憶プロセスおよび管理サーバで広告を設定するプロセスが多くの手作業リソースおよび時間リソースを使用することによって完遂されている従来技術と比較して、手作業リソースおよび時間リソースを省くだけでなく、広告挿入効率を著しく改善することができる。
【０２８４】
図23を参照すれば、図23は、別の本発明の実施形態によって提供される広告挿入システムの構造ブロック図を示している。広告挿入システムは、広告ポリシー及び課金制御機能620と、広告ストレージ640と、端末680とを備える。
【０２８５】
広告ポリシー及び課金制御機能620は、図11に対応する実施形態によって提供される広告ポリシー及び課金制御機能であってもよい。
【０２８６】
広告ストレージ640は、図13または図14に対応する実施形態によって提供される広告ストレージであってもよい。
【０２８７】
端末680は、図17または図18に対応する実施形態によって提供される端末であってもよい。
【０２８８】
つまり、本実施形態によって提供される広告挿入システムでは、広告を自動的に受信し、記憶し、挿入するプロセスを、広告ポリシー及び課金制御機能と、広告ストレージと、端末とを備える広告挿入システムによって、サービスプロバイダによる如何なる手動介入も必要とせずに実現することができる。広告記憶プロセスおよび管理サーバで広告を設定するプロセスが多くの手作業リソースおよび時間リソースを使用することによって完遂されている従来技術と比較して、手作業リソースおよび時間リソースを省くだけでなく、広告挿入効率を著しく改善することができる。
【０２８９】
図24を参照すれば、図24は、別の本発明の実施形態によって提供される広告挿入システムの構造ブロック図を示している。広告挿入システムは、広告ポリシー及び課金制御機能620と、広告ストレージ640と、端末690とを備える。
【０２９０】
広告ポリシー及び課金制御機能620は、図11に対応する実施形態によって提供される広告ポリシー及び課金制御機能であってもよい。
【０２９１】
広告ストレージ640は、図13または図14に対応する実施形態によって提供される広告ストレージであってもよい。
【０２９２】
端末680は、図19または図20に対応する実施形態によって提供される端末であってもよい。
【０２９３】
つまり、本実施形態によって提供される広告挿入システムでは、広告を自動的に受信し、記憶し、挿入するプロセスを、広告ポリシー及び課金制御機能と、広告ストレージと、端末とを備える広告挿入システムによって、サービスプロバイダによる如何なる手動介入も必要とせずに実現することができる。広告記憶プロセスおよび管理サーバで広告を設定するプロセスが多くの手作業リソースおよび時間リソースを使用することによって完遂されている従来技術と比較して、手作業リソースおよび時間リソースを省くだけでなく、広告挿入効率を著しく改善することができる。
【０２９４】
前述の実施形態におけるステップの全てまたは一部を、ハードウェアで実施してもよいし、または関連ハードウェアに命令するプログラムによって実施してもよい、ことを当業者は理解すべきである。プログラムは、コンピュータ可読記憶媒体に記憶されていてもよい。記憶媒体は、リードオンリーメモリ、磁気ディスク、または光ディスクなどであってもよい。
【０２９５】
前述の端末および基地局の実施形態に含まれているユニットは論理機能に従って単に分割されているが、本発明は対応する機能を実現でき得る限り、前述の分割に限定されないことに留意すべきである。さらに、機能ユニットの個別の名称は、ユニットをそれぞれ区別する目的のために提供しているだけであって、本発明の保護範囲を限定することは意図していないことに留意すべきである。
【０２９６】
前述の記載は、本発明の例示的な特定の実施様式にすぎず、本発明の保護範囲を限定することを意図したものでは無い。本発明の実施形態に記載した技術範囲において当業者によって考え出される任意の変形または置換は、本発明の保護範囲にあるものとする。したがって、本発明の保護範囲は、特許請求の範囲の保護範囲を前提としている。
【符号の説明】
【０２９７】
102  広告提供デバイス
104  広告ポリシー及び課金制御機能
106  広告ストレージ
108  広告挿入デバイス
110  端末
【図１】
2015531117.tif 000003
【図２】
2015531117.tif 000004
【図３】
2015531117.tif 000005
【図４】
2015531117.tif 000006
【図５】
2015531117.tif 000007
【図６】
2015531117.tif 000008
【図７】
2015531117.tif 000009
【図８】
2015531117.tif 000010
【図９】
2015531117.tif 000011
【図１０】
2015531117.tif 000012
【図１１ａ】
2015531117.tif 000013
【図１１ｂ】
2015531117.tif 000014
【図１１ｃ】
2015531117.tif 000015
【図１２】
2015531117.tif 000016
【図１３ａ】
2015531117.tif 000017
【図１３ｂ】
2015531117.tif 000018
【図１４ａ】
2015531117.tif 000019
【図１４ｂ】
2015531117.tif 000020
【図１５】
2015531117.tif 000021
【図１６】
2015531117.tif 000022
【図１７】
2015531117.tif 000023
【図１８ａ】
2015531117.tif 000024
【図１８ｂ】
2015531117.tif 000025
【図１９】
2015531117.tif 000026
【図２０ａ】
2015531117.tif 000027
【図２０ｂ】
2015531117.tif 000028
【図２１】
2015531117.tif 000029
【図２２】
2015531117.tif 000030
【図２３】
2015531117.tif 000031
【図２４】
2015531117.tif 000032
【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
広告ストレージ方法であって、
広告ポリシー及び課金制御器によって、広告コンテンツについての情報であり広告提供デバイスによって送信された識別情報を受信するステップと、
前記広告ポリシー及び課金制御器によって、前記広告コンテンツについての情報であり前記広告提供デバイスによって送信された説明情報を受信するステップであって、前記広告コンテンツの前記説明情報は、少なくとも前記広告コンテンツのサイズ情報を含む、ステップと、
前記広告コンテンツの前記説明情報がプリセット条件を満たしている場合には、広告ストレージが、前記広告コンテンツの前記識別情報と前記サイズ情報とに従って対応する記憶領域を前記広告コンテンツに割り当てることができるように、および前記広告ストレージが、前記広告コンテンツの前記識別情報に従って前記広告提供デバイスからの前記広告コンテンツを要求して前記広告コンテンツを前記記憶領域に記憶することができるように、前記広告ポリシー及び課金制御器によって、前記広告コンテンツの前記識別情報と前記サイズ情報とを有する領域割り当て指示を前記広告ストレージに送信するステップ、または、前記広告コンテンツの前記説明情報がプリセット条件を満たしている場合には、前記記憶領域の識別情報に従って前記広告提供デバイスによって前記記憶領域にプッシュされた前記広告コンテンツを受信して、前記広告コンテンツを記憶するために、前記広告ストレージが、前記広告コンテンツの前記識別情報と前記サイズ情報とに従って対応する記憶領域を前記広告コンテンツに割り当て、前記記憶領域の前記識別情報を生成して、前記記憶領域の前記識別情報を前記広告提供デバイスに送信することができるように、前記広告コンテンツの前記識別情報と前記サイズ情報とを有する領域割り当て指示を前記広告ストレージに送信するステップとを含む、方法。
【請求項２】
前記広告コンテンツの前記説明情報がプリセット条件を満たしていることは、
前記広告コンテンツの前記サイズ情報にある値がプリセット閾値未満であることを含む、請求項1に記載の方法。
【請求項３】
前記広告コンテンツの前記説明情報は、前記広告コンテンツのタイプ情報と、解像度情報と、符号化情報と、言語タイプと、配置要件情報とのうちの1つまたは複数の項目をさらに含み、
前記広告コンテンツの前記説明情報がプリセット条件を満たしていることは、
前記広告コンテンツの前記タイプ情報にあるタイプがプリセットタイプを満たしていることであって、前記プリセットタイプは、テキストと、画像と、オーディオと、ビデオとのうちの一種類または複数種類を含む、ことと、
前記広告コンテンツの前記解像度情報にある解像度がプリセット解像度以下であることと、
前記広告コンテンツの前記符号化情報にある符号化規則がプリセット符号化規則を満たしていることと、
前記広告コンテンツの前記言語情報にある言語がプリセット言語を満たしていることと、
前記広告コンテンツの前記配置要件情報にある配置要件がプリセット配置要件を満たしていることとのうちの1つまたは複数の状況を含む、請求項1または2に記載の方法。
【請求項４】
前記広告コンテンツの前記識別情報と前記サイズ情報とを有する領域割り当て指示を前記広告ストレージに送信するステップの後に、前記方法は、
前記広告ポリシー及び課金制御器によって、前記広告ストレージによってフィードバックされた前記記憶領域の識別情報を受信するステップをさらに備え、
前記記憶領域の前記識別情報を受信するステップの後に、前記方法は、
前記記憶領域の前記識別情報を記憶して、前記記憶領域の前記識別情報を前記対応する広告コンテンツの前記識別情報と前記説明情報とに関連付けるステップと、
または、前記広告提供デバイスが、前記記憶領域の前記識別情報に従って前記広告コンテンツを前記記憶領域にプッシュすることができるように、前記記憶領域の前記識別情報を記憶して、前記記憶領域の前記識別情報を前記対応する広告コンテンツの前記識別情報と前記説明情報とに関連付けて、前記記憶領域の前記識別情報を前記広告提供デバイスに転送するステップとをさらに含む、請求項1から3のいずれか一項に記載の方法。
【請求項５】
前記広告コンテンツの前記説明情報が前記広告コンテンツの前記配置要件情報を含む場合には、
前記記憶領域の前記識別情報を記憶して、前記記憶領域の前記識別情報を前記対応する広告コンテンツの前記識別情報と前記説明情報とに関連付けるステップの後に、前記方法は、
前記広告ポリシー及び課金制御器によって、前記広告コンテンツの前記配置要件情報と前記広告コンテンツに対応する前記記憶領域の前記識別情報とを広告挿入デバイスまたは端末に送信するステップをさらに含む、請求項4に記載の方法。
【請求項６】
前記端末に、前記広告コンテンツの前記配置要件情報と前記広告コンテンツに対応する前記記憶領域の前記識別情報とを送信するステップの前に、前記方法は、
前記広告ポリシー及び課金制御器によって、プリセットショート情報を受信した後に前記端末がインターネット接続を確立することができるように、前記プリセットショート情報を前記端末に送信するステップと、
前記広告ポリシー及び課金制御器によって、前記端末による前記インターネット接続を用いて送信された情報取得要求を受信するステップであって、前記情報取得要求は、前記広告コンテンツの前記配置要件情報および/または前記広告コンテンツに対応する前記記憶領域の前記識別情報を要求するために使用される、ステップとをさらに含む、請求項5に記載の方法。
【請求項７】
広告挿入方法であって、
広告ポリシー及び課金制御機能によって送信された広告コンテンツの配置要件情報と前記広告コンテンツに対応する記憶領域の識別情報とを受信するステップであって、前記配置要件情報は、マッチングキーワードと、配置エリアと、配置対象情報と、配置時間セグメントと、マッチングトリガイベントとのうちの1つまたは複数の項目を含む、ステップと、
ユーザにフィードバックされるデータの属性情報が、前記配置要件情報にある前記マッチングキーワードと、前記配置エリアと、前記配置対象情報と、前記配置時間セグメントとのうちの1つまたは複数の項目を満たしている場合には、前記広告コンテンツを前記データに挿入するステップであって、前記広告コンテンツは、前記記憶領域の前記識別情報に従って広告ストレージから予めまたはリアルタイムに要求された広告コンテンツを含む、ステップと、
端末によって収集されたトリガイベントが前記配置要件情報にある前記マッチングトリガイベントと同一である場合には、前記広告コンテンツを前記端末のスクリーンに再生するステップとを含む、広告挿入方法。
【請求項８】
前記属性情報は、データ取得時間と、キーワードと、送信元と、宛先と、ユーザのパーソナル情報とのうちの1つまたは複数の項目を含み、
ユーザにフィードバックされるデータの前記属性情報が、前記配置要件情報にある前記マッチングキーワードと、前記配置エリアと、前記配置対象情報と、前記配置時間セグメントとのうちの1つまたは複数の項目を満たしていることは、
前記属性情報にある前記データ取得時間が前記配置要件情報にある前記配置時間セグメントを満たしていることと、
前記属性情報にある前記キーワードが前記配置要件情報にある前記マッチングキーワードを満たしていることと、
前記属性情報にある前記送信元と前記宛先とのうちの1つまたは双方が前記配置要件情報にある前記配置エリアを満たしていることと、
前記属性情報にある前記ユーザの前記パーソナル情報が前記配置要件情報にある前記配置対象情報を満たしていることとのうちの1つまたは複数の状況を含む、請求項7に記載の方法。
【請求項９】
前記マッチングトリガイベントは、ボタンの押下と、タッチスクリーンの押下と、音声信号の受信と、アプリケーションの起動と、端末のアクセスロック解除の失敗とのうちの少なくとも一種類を含む、請求項7から8のいずれか一項に記載の方法。
【請求項１０】
前記端末によって収集されたトリガイベントが前記配置要件情報にある前記マッチングトリガイベントと同一である場合には、前記広告コンテンツを前記端末のスクリーンに再生するステップの前に、方法は、
ユーザ操作によって生成されたトリガイベントを収集するステップをさらに含み、
前記広告コンテンツを前記端末のスクリーンに再生するステップは、
元の表示コンテンツ上にオーバーラップまたは覆うようにして前記広告コンテンツを前記端末の前記スクリーンの全エリアまたは一部エリアに再生するステップを対応するものとして含む、請求項7から9のいずれか一項に記載の方法。
【請求項１１】
前記広告ポリシー及び課金制御機能によって送信された広告コンテンツの配置要件情報と前記広告コンテンツに対応する記憶領域の識別情報とを受信するステップの前に、前記方法は、
前記広告ポリシー及び課金制御機能によって送信されたプリセットショート情報を受信するステップと、
インターネット接続に従って、前記広告コンテンツの前記配置要件情報、前記広告コンテンツに対応する前記記憶領域の前記識別情報、および/または前記広告コンテンツを取得するために、前記プリセットショート情報に従って前記インターネット接続を確立するステップとをさらに含む、請求項7から10のいずれか一項に記載の方法。
【請求項１２】
広告ポリシー及び課金制御器であって、
広告コンテンツについての情報であり広告提供デバイスによって送信された識別情報を受信するように構成される、広告識別受信モジュールと、
前記広告コンテンツについての情報であり前記広告提供デバイスによって送信された説明情報を受信するように構成される、説明情報受信モジュールであって、前記広告コンテンツの前記説明情報は、少なくとも前記広告コンテンツのサイズ情報を含む、説明情報受信モジュールと、
前記説明情報受信モジュールによって受信された前記説明情報がプリセット条件を満たしていると決定するように構成される、プリセット条件決定モジュールと、
前記説明情報が前記プリセット条件を満たしていると前記プリセット条件決定モジュールが決定すると、広告ストレージが、前記広告コンテンツの前記識別情報と前記サイズ情報とに従って対応する記憶領域を前記広告コンテンツに割り当てることができるように、および前記広告ストレージが、前記広告コンテンツの前記識別情報に従って前記広告提供デバイスからの前記広告コンテンツを要求して前記広告コンテンツを前記記憶領域に記憶することができるように、前記広告ストレージに、前記広告コンテンツについての情報であり前記広告識別受信モジュールによって受信された前記識別情報と、前記広告コンテンツについての情報であり前記説明情報受信モジュールによって受信された前記サイズ情報とを有する領域割り当て指示を送信するように構成される、または、前記説明情報が前記プリセット条件を満たしていると前記プリセット条件決定モジュールが決定すると、前記記憶領域の識別情報に従って前記広告提供デバイスによって前記記憶領域にプッシュされた前記広告コンテンツを受信して、前記広告コンテンツを記憶するために、広告ストレージが、前記広告コンテンツの前記識別情報と前記サイズ情報とに従って対応する記憶領域を前記広告コンテンツに割り当て、前記記憶領域の前記識別情報を生成して、前記記憶領域の前記識別情報を前記広告提供デバイスに送信することができるように、前記広告ストレージに、前記広告コンテンツについての情報であり前記広告識別受信モジュールによって受信された前記識別情報と、前記広告コンテンツについての情報であり前記説明情報受信モジュールによって受信された前記サイズ情報とを有する領域割り当て指示を送信するように構成される、割り当て指示送信モジュールとを備える、広告ポリシー及び課金制御器。
【請求項１３】
前記プリセット条件決定モジュールは、前記広告コンテンツについての情報であり前記説明情報受信モジュールによって受信された前記サイズ情報にある値がプリセット閾値未満であると決定するように特に構成され、
前記割り当て指示送信モジュールは、前記広告コンテンツの前記サイズ情報にある前記値が前記プリセット閾値未満であると前記プリセット条件決定モジュールが決定すると、前記広告ストレージに、前記広告コンテンツについての情報であり前記広告識別受信モジュールによって受信された前記識別情報と、前記広告コンテンツについての情報であり前記説明情報受信モジュールによって受信された前記サイズ情報とを有する前記領域割り当て指示を送信するように特に構成される、請求項12に記載の広告ポリシー及び課金制御器。
【請求項１４】
前記説明情報受信モジュールは、前記広告コンテンツのタイプ情報と、解像度情報と、符号化情報と、言語タイプと、配置要件情報とのうちの1つまたは複数の項目を受信するようにさらに構成され、
前記広告コンテンツの前記説明情報が前記プリセット条件を満たしていると前記プリセット条件決定モジュールが決定することは、
前記広告コンテンツの前記タイプ情報にあるタイプがプリセットタイプを満たしていると決定することであって、前記プリセットタイプは、テキストと、画像と、オーディオと、ビデオとのうちの一種類または複数種類を含む、ことと、
前記広告コンテンツの前記解像度情報にある解像度がプリセット解像度以下であると決定することと、
前記広告コンテンツの前記符号化情報にある符号化規則がプリセット符号化規則を満たしていると決定することと、
前記広告コンテンツの前記言語情報にある言語がプリセット言語を満たしていると決定することと、
前記広告コンテンツの前記配置要件情報にある配置要件がプリセット配置要件を満たしていると決定することとのうちの1つまたは複数の状況を特に含む、請求項12または13に記載の広告ポリシー及び課金制御器。
【請求項１５】
領域識別受信モジュールと、領域識別記憶モジュールとをさらに備え、または領域識別受信モジュールと、領域識別記憶モジュールと、領域識別転送モジュールとをさらに備え、
前記領域識別受信モジュールは、前記広告ストレージによってフィードバックされた前記記憶領域の識別情報を受信するように構成され、
前記領域識別記憶モジュールは、前記領域識別受信モジュールによって受信された前記記憶領域の前記識別情報を記憶して、前記領域識別受信モジュールによって受信された前記記憶領域の前記識別情報を、前記対応する広告コンテンツについての情報であり前記広告識別受信モジュールによって受信された前記識別情報と、前記対応する広告コンテンツについての情報であり前記説明情報受信モジュールによって受信された前記説明情報とに関連付けるように構成され、
前記領域識別転送モジュールは、前記広告提供デバイスが、前記記憶領域の前記識別情報に従って前記広告コンテンツを前記記憶領域にプッシュすることができるように、前記領域識別受信モジュールによって受信された前記記憶領域の前記識別情報を広告提供デバイスに転送するように構成される、請求項12から14のいずれか一項に記載の広告ポリシー及び課金制御器。
【請求項１６】
前記広告コンテンツの前記説明情報が前記広告コンテンツの前記配置要件情報を含む場合には、広告ポリシー及び課金制御器は、
広告挿入デバイスまたは端末に、前記広告コンテンツについての情報であり前記説明情報受信モジュールによって受信された前記配置要件情報と、前記広告コンテンツに対応する前記記憶領域についての情報であり前記領域識別受信モジュールによって受信された前記識別情報とを送信するように構成される、広告情報送信モジュールをさらに備える、請求項12から15のいずれか一項に記載の広告ポリシー及び課金制御器。
【請求項１７】
プリセットショート情報を受信した後に前記端末がインターネット接続を確立することができるように、前記プリセットショート情報を前記端末に送信するように構成される、プリセットショート情報送信モジュールと、
前記プリセットショート情報送信モジュールが前記プリセットショート情報を送信した後に、前記端末による前記インターネット接続を用いて送信された情報取得要求を受信するように構成される、情報要求受信モジュールであって、前記情報取得要求は、前記広告コンテンツの前記配置要件情報および/または前記広告コンテンツに対応する前記記憶領域の前記識別情報を要求するために使用される、情報要求受信モジュールとをさらに備える、請求項12から16のいずれか一項に記載の広告ポリシー及び課金制御器。
【請求項１８】
広告挿入デバイスであって、
広告ポリシー及び課金制御器によって送信された広告コンテンツの配置要件情報と前記広告コンテンツに対応する記憶領域の識別情報とを受信するように構成される、配置要件受信モジュールであって、前記配置要件情報は、マッチングキーワードと、配置エリアと、配置対象情報と、配置時間セグメントとのうちの1つまたは複数の項目を含む、配置要件受信モジュールと、
ユーザにフィードバックされるデータの属性情報が、前記配置要件受信モジュールによって受信された前記配置要件情報にある前記マッチングキーワードと、前記配置エリアと、前記配置対象情報と、前記配置時間セグメントとのうちの1つまたは複数の項目を満たしていると決定するように構成される、属性情報決定モジュールと、
前記ユーザにフィードバックされる前記データの前記属性情報が、前記配置要件受信モジュールによって受信された前記配置要件情報にある前記マッチングキーワードと、前記配置エリアと、前記配置対象情報と、前記配置時間セグメントとのうちの1つまたは複数の項目を満たしていると前記属性情報決定モジュールが決定した後に、前記広告コンテンツを前記データに挿入するように構成される、データマッチング挿入モジュールであって、前記広告コンテンツは、前記配置要件受信モジュールによって受信された前記記憶領域の前記識別情報に従って広告ストレージから予めまたはリアルタイムに要求された広告コンテンツである、データマッチング挿入モジュールとを備える、広告挿入デバイス。
【請求項１９】
前記属性情報は、データ取得時間と、キーワードと、送信元と、宛先と、前記ユーザのパーソナル情報とのうちの1つまたは複数の項目を含み、
前記属性情報決定モジュールが前記ユーザにフィードバックされる前記データの前記属性情報を決定するように構成されることは、
前記属性情報にある前記データ取得時間が前記配置要件情報にある前記配置時間セグメントを満たしていると決定することと、
前記属性情報にある前記キーワードが前記配置要件情報にある前記マッチングキーワードを満たしていると決定することと、
前記属性情報にある前記送信元と前記宛先とのうちの1つまたは双方が前記配置要件情報にある前記配置エリアを満たしていると決定することと、
前記属性情報にある前記ユーザの前記パーソナル情報が前記配置要件情報にある前記配置対象情報を満たしていると決定することとのうちの1つまたは複数の状況を特に含む、請求項18に記載の広告挿入デバイス。
【請求項２０】
前記広告挿入デバイスは、
データ取得モジュールと、データ分析モジュールとをさらに含み、
前記データ取得モジュールは、ユーザにフィードバックされるデータを取得するように構成され、前記データは、テキストと、写真と、オーディオと、ビデオとのうちの少なくとも一種類を含み、
前記データ分析モジュールは、前記データの属性情報を取得するために、前記データ取得モジュールによって取得された前記データにディープ・パケット・インスペクションを実行するように構成される、請求項18または19に記載の広告挿入デバイス。
【請求項２１】
前記広告挿入デバイスは、それを介して端末がインターネットにアクセスするネットワーク要素デバイスである、または端末である、請求項18から20のいずれか一項に記載の広告挿入デバイス。
【請求項２２】
端末であって、
広告ポリシー及び課金制御器によって送信された広告コンテンツの配置要件情報と前記広告コンテンツに対応する記憶領域の識別情報とを受信するように構成される、配置要件受信モジュールであって、前記配置要件情報は、マッチングトリガイベントを含む、配置要件受信モジュールと、
端末によって収集されたトリガイベントが前記配置要件情報にある前記マッチングトリガイベントと同一であると決定するように構成される、トリガイベント決定モジュールと、
前記端末によって収集された前記トリガイベントが前記配置要件受信モジュールによって受信された前記配置要件情報にある前記マッチングトリガイベントと同一であると前記トリガイベント決定モジュールが決定した後に、前記広告コンテンツを前記端末のスクリーンに再生するように構成される、行動マッチング挿入モジュールであって、前記広告コンテンツは、前記配置要件受信モジュールによって受信された前記記憶領域の前記識別情報に従って広告ストレージから予めまたはリアルタイムに要求された広告コンテンツである、行動マッチング挿入モジュールとを備える、端末。
【請求項２３】
前記トリガイベント決定モジュールによって決定された前記トリガイベントは、ボタンの押下と、タッチスクリーンの押下と、音声信号の受信と、アプリケーションの起動と、端末のアクセスロック解除の失敗とのうちの少なくとも一種類を含む、請求項22に記載の端末。
【請求項２４】
前記端末は、
ユーザ操作によって生成されたトリガイベントを収集するように構成される、トリガイベント収集モジュールをさらに備え、
前記行動マッチング挿入モジュールは、前記端末によって収集された前記トリガイベントが前記配置要件情報にある前記マッチングトリガイベントと同一であると前記トリガイベント決定モジュールが決定すると、元の表示コンテンツ上にオーバーラップまたは覆うようにして前記広告コンテンツを前記端末の前記スクリーンの全エリアまたは一部エリアに再生するようにさらに特に構成される、請求項22または23に記載の端末。
【請求項２５】
請求項1から11のいずれか一項に記載の方法をコンピュータに実行させるプログラム。
【請求項２６】
請求項12から16のいずれか一項に記載の広告ポリシー及び課金制御器と、請求項18から21のいずれか一項に記載の広告挿入デバイスとを備える、広告挿入デバイス。
【手続補正２】
【補正対象書類名】明細書
【補正対象項目名】０００９
【補正方法】変更
【補正の内容】
【０００９】
第4の態様では、広告ポリシー及び課金制御機能を提供しており、広告ポリシー及び課金制御機能は、
広告コンテンツについての情報であり広告提供デバイスによって送信された識別情報を受信するように構成される、広告識別受信モジュールと、
広告コンテンツについての情報であり広告提供デバイスによって送信された説明情報を受信するように構成される、説明情報受信モジュールであって、広告コンテンツの説明情報は、少なくとも広告コンテンツのサイズ情報を含む、説明情報受信モジュールと、
説明情報受信モジュールによって受信された説明情報がプリセット条件を満たしていると決定するように構成される、プリセット条件決定モジュールと、
広告コンテンツの説明情報がプリセット条件を満たしているとプリセット条件決定モジュールが決定すると、広告ストレージが、広告コンテンツの識別情報とサイズ情報とに従って対応する記憶領域を広告コンテンツに割り当てることができるように、および広告ストレージが、広告コンテンツの識別情報に従って広告提供デバイスからの広告コンテンツを要求して広告コンテンツを記憶領域に記憶することができるように、広告ストレージに、広告コンテンツについての情報であり広告識別受信モジュールによって受信された識別情報と、広告コンテンツについての情報であり説明情報受信モジュールによって受信されたサイズ情報とを有する領域割り当て指示を送信するように構成される、または、広告コンテンツの説明情報がプリセット条件を満たしているとプリセット条件決定モジュールが決定すると、記憶領域の識別情報に従って広告提供デバイスによって記憶領域にプッシュされた広告コンテンツを受信して、広告コンテンツを記憶するために、広告ストレージが、広告コンテンツの識別情報とサイズ情報とに従って対応する記憶領域を広告コンテンツに割り当て、記憶領域の識別情報を生成して、記憶領域の識別情報を広告提供デバイスに送信することができるように、広告ストレージに、広告コンテンツについての情報であり広告識別受信モジュールによって受信された識別情報と、広告コンテンツについての情報であり説明情報受信モジュールによって受信されたサイズ情報とを有する領域割り当て指示を送信するように構成される、割り当て指示送信モジュールとを備える。
【手続補正３】
【補正対象書類名】明細書
【補正対象項目名】００２９
【補正方法】変更
【補正の内容】
【００２９】
広告挿入デバイス108は、AIF(Advertisement Insert Function、広告挿入機能エンティティ)とも称される。論理ネットワーク要素として、広告挿入デバイス108は、無線キャリアに属するとともに端末110がインターネットにアクセスする経路上に位置するネットワーク要素に配置されてもよい。例えば、広告挿入デバイスは、PGW(Packet Data network Gateway、パケットデータネットワークゲートウェイ)またはGGSN(Gateway GPRS Support Node、ゲートウェイGPRSサポートノード)に直接配置される、またはPGWまたはGGSNとPDN(Packet Data Network、パケットデータネットワーク)との間のデータチャネルに配置される。広告挿入デバイス108は、無線または有線ネットワークを介して広告ポリシー及び課金制御機能104と広告ストレージ106との各々に接続されていてもよい。
【手続補正４】
【補正対象書類名】明細書
【補正対象項目名】００５７
【補正方法】変更
【補正の内容】
【００５７】
広告提供デバイスが広告コンテンツの識別情報と説明情報とを広告ポリシー及び課金制御機能に独立して送信する場合には、本ステップは、第1に、広告提供デバイスが、広告コンテンツの識別情報を広告ポリシー及び課金制御機能に送信するサブステップと、第2に、広告ポリシー及び課金制御機能が、広告コンテンツの識別情報を受信するサブステップと、第3に、広告ポリシー及び課金制御機能が、広告コンテンツの識別情報に従って説明情報取得要求を広告提供デバイスに送信するサブステップであって、説明情報取得要求は、広告コンテンツの識別情報を有する、サブステップと、第4に、説明情報取得要求を受信した後に、広告提供デバイスが、説明情報取得要求にある広告コンテンツの識別情報に従って、対応する広告コンテンツの説明情報を広告ポリシー及び課金制御機能に送信するサブステップと、第5に、広告ポリシー及び課金制御機能が、広告コンテンツについての情報であり広告提供デバイスによって送信された説明情報を受信するサブステップとを含む。
【手続補正５】
【補正対象書類名】明細書
【補正対象項目名】０１４４
【補正方法】変更
【補正の内容】
【０１４４】
端末は、データの属性情報が、ある広告コンテンツの配置要件情報にあるマッチングキーワードと、配置エリアと、配置対象特性と、配置時間セグメントとのうちの1つまたは複数の項目を満たしているかどうかを決定する。決定結果が「はい」である場合には、端末は、広告コンテンツに対応する記憶領域の識別情報に従って広告コンテンツを広告ストレージから取得する。特に、ユーザにフィードバックされるデータの属性情報が、配置要件情報にあるマッチングキーワードと、配置エリアと、配置対象特性と、配置時間セグメントとのうちの1つまたは複数の項目を満たしていると端末が決定することは、
例えば、ユーザがデータを要求している取得時間が22:31であり、広告の配置時間セグメントが毎日22:00から24:00ある場合には、属性情報にあるデータ取得時間は、配置要件情報にある配置時間セグメントを満たしているといった具合に、ユーザにフィードバックされるデータの属性情報にあるデータ取得時間が配置要件情報にある配置時間セグメントを満たしていると決定することと、
例えば、ユーザによって要求されたデータのキーワードが美、香水、およびアルコールを含み、配置要件情報にあるマッチングキーワードが香水を含んでいる場合には、属性情報にあるキーワードは、配置要件情報にあるマッチングキーワードを満たしているといった具合に、ユーザにフィードバックされるデータの属性情報にあるキーワードが配置要件情報にあるマッチングキーワードを満たしていると決定することと、
例えば、ユーザのIPアドレスに対応する領域が北京であり、配置要件情報にある配置エリアが北京または上海である場合には、属性情報にある宛先は、配置要件情報にある配置エリアを満たしているといった具合に、ユーザにフィードバックされる属性情報にある送信元と宛先とのうちの1つまたは双方が配置要件情報にある配置エリアを満たしていると決定することと、
例えば、ユーザのパーソナル情報が女性26才を含み、配置要件情報にある配置対象情報が女性15才以上である場合には、属性情報にあるユーザのパーソナル情報は、配置要件情報にある配置対象情報を満たしているといった具合に、ユーザにフィードバックされるデータの属性情報にあるユーザのパーソナル情報が配置要件情報にある配置対象情報を満たしていると決定することとのうちの1つまたは複数の状況を含む。
【手続補正６】
【補正対象書類名】明細書
【補正対象項目名】０１８０
【補正方法】変更
【補正の内容】
【０１８０】
前述の実施形態において提供されている広告ポリシー及び課金制御機能のより詳細な説明については、図11aを参照する。図11aは、別の本発明の実施形態によって提供される広告ポリシー及び課金制御機能の構造ブロック図を示している。前述の実施形態とは異なり、広告ポリシー及び課金制御機能は、広告識別受信モジュール120と、説明情報受信モジュール140と、プリセット条件決定モジュール150と、割り当て指示送信モジュール160とを含むだけでなく、取得要求送信モジュール130を含む。
【手続補正７】
【補正対象書類名】明細書
【補正対象項目名】０２０１
【補正方法】変更
【補正の内容】
【０２０１】
能動的広告取得モジュール260は、広告コンテンツについての情報であり割り当て指示受信モジュール220によって受信された識別情報に従って広告提供デバイスからの広告コンテンツを要求して、広告コンテンツを受信して広告コンテンツを記憶領域に記憶するように構成される。
【手続補正８】
【補正対象書類名】明細書
【補正対象項目名】０２２０
【補正方法】変更
【補正の内容】
【０２２０】
広告コンテンツ送信モジュール294は、広告挿入デバイスまたは端末に、識別情報受信モジュール292によって受信された識別情報に対応する記憶領域に記憶された広告コンテンツを送信するように構成される。広告コンテンツは、受動的広告取得モジュール280によって取得された広告コンテンツである。
【国際調査報告】
2015531117.tif 000033
2015531117.tif 000034
2015531117.tif 000035
2015531117.tif 000036
2015531117.tif 000037
2015531117.tif 000038